(57)【要約】本発明は、ケモカイン、神経ペプチド前駆体または少なくとも一つの神経ペプチドをコードする核酸配列を含んでなる核酸分子、ならびにこの核酸分子を含有する宿主細胞に関する。さらに、本発明は、ケモカインもしくは神経ペプチドとして機能する、または少なくとも一つの神経ペプチドを含むポリペプチド分子、および少なくとも一つの神経ペプチドを含むその断片、ならびに前記ポリペプチド分子またはその断片の製造方法に関する。さらに、本発明は、抗体、検出法、およびテストキット、ならびに医薬組成物に関する。本発明の目的は、ＳＤＦ−１因子またはその受容体（ＣＸＣＲ４）の欠陥に関連する疾病の診断および／または治療のために使用できる新たな手段を提供することにある。
2004521607.tif 000002
【特許請求の範囲】
【請求項１】
以下の配列を含んでなる配列を有する、核酸分子：
（１）以下の配列から選択される、ケモカイン、神経ペプチド前駆体または少なくとも一つの神経ペプチドをコードする核酸配列：
（ａ）配列番号１で表される核酸配列、
（ｂ）配列番号２で表されるアミノ酸配列を有するポリペプチドをコードする核酸配列、
（ｃ）前記（ａ）に示される配列に対して少なくとも６０％の同一性を有する核酸配列、
（ｄ）前記（ａ）に示される配列のもう一方の鎖とハイブリダイズする、もしくは遺伝コードの縮重を考慮した上でハイブリダイズするものとされる配列、および
（ｅ）前記（ａ）または前記（ｂ）に示される一の配列の誘導体であって、１以上のヌクレオチドの置換、付加、逆位および／または欠失によって得られ、ケモカイン、神経ペプチド前駆体または少なくとも一つの神経ペプチドをコードする、誘導体；または
（２）前記（ａ）〜（ｅ）に示される核酸配列の一つと相補的な配列。
【請求項２】
前記（１）（ｃ）に示される核酸配列が少なくとも８０％の同一性を有するものである、請求項１に記載の核酸分子。
【請求項３】
前記（１）（ｃ）に示される核酸配列が少なくとも９０％の同一性を有するものである、請求項１に記載の核酸分子。
【請求項４】
前記（１）（ｃ）に示される核酸配列が少なくとも９５％の同一性を有するものである、請求項１に記載の核酸分子。
【請求項５】
配列番号３で表される核酸配列を含んでなる、請求項１に記載の核酸分子。
【請求項６】
配列番号４で表されるアミノ酸配列を有するポリペプチドをコードする核酸配列を含んでなる、請求項１に記載の核酸分子。
【請求項７】
発現に好適なプロモーターをさらに含んでなり、コード核酸配列が該プロモーターの制御下にある、請求項１〜６のいずれか一項に記載の核酸分子。
【請求項８】
宿主細胞内での核酸分子の複製および／または宿主細胞ゲノムへの核酸分子の組込みを可能とするベクターの配列をさらに含んでなる、請求項１〜７のいずれか一項に記載の核酸分子。
【請求項９】
請求項１〜８のいずれか一項に記載の核酸分子を含有し、該核酸分子の発現に好適な原核または真核細胞である、宿主細胞。
【請求項１０】
原核宿主細胞が大腸菌である、請求項９に記載の宿主細胞。
【請求項１１】
真核宿主細胞が真菌、昆虫または哺乳類細胞である、請求項９に記載の宿主細胞。
【請求項１２】
酵母サッカロミセス・セレビシエ、メチロトローフ酵母ハンセニューラ・ポリモルファ、二形性酵母アルクスラ・アデニニボランスまたは糸状菌ソルダリア・マクロスポラである、請求項１１に記載の宿主細胞。
【請求項１３】
ＣＨＯ細胞、ＣＯＳ細胞またはＨｅＬａ細胞である、請求項１１に記載の宿主細胞。
【請求項１４】
以下の配列から選択されるアミノ酸配列を含んでなる、ポリペプチド分子：
（ｉ）配列番号５、配列番号６、配列番号７、配列番号８、配列番号９および／または配列番号１０で表されるアミノ酸配列、および／またはこれらの配列の２以上の組合せを含むアミノ酸配列、
（ｉｉ）配列番号４で表されるアミノ酸配列、
（ｉｉｉ）配列番号４の第２０アミノ酸〜第１１９アミノ酸の配列に相当するアミノ酸配列、
（ｉｖ）配列番号２２で表されるアミノ酸配列、および
（ｖ）前記（ｉ）、（ｉｉ）、（ｉｉｉ）または（ｉｖ）に示される配列に対して少なくとも８５％の同一性を有するアミノ酸配列。
【請求項１５】
前記（ｖ）に示される配列が少なくとも９０％の同一性を有するものである、請求項１４に記載のポリペプチド分子。
【請求項１６】
前記（ｖ）に示される配列が少なくとも９５％の同一性を有するものである、請求項１４に記載のポリペプチド分子。
【請求項１７】
配列番号１２または配列番号１３で表されるアミノ酸配列を含むものである、請求項１４に記載のポリペプチド分子。
【請求項１８】
少なくとも一つの神経ペプチドを含む、請求項１４〜１７のいずれか一項に記載のポリペプチド分子の断片。
【請求項１９】
配列番号５、配列番号６、配列番号７、配列番号８、配列番号９および／または配列番号１０で表されるアミノ酸配列の少なくとも一つを含んでなる、請求項１８に記載の断片。
【請求項２０】
請求項１４〜１９のいずれか一項に記載のポリペプチド分子および／またはその断片の製造方法であって、発現および実行する可能性のあるプロセッシングに好適な条件下で請求項９〜１３のいずれか一項に記載の宿主細胞を培養すること、ならびに、所望により、発現したポリペプチド分子または断片を精製することを含んでなる、方法。
【請求項２１】
請求項１４〜１９のいずれか一項に記載のポリペプチド分子および／またはその断片に特異的な抗体。
【請求項２２】
生物試料中の請求項１４〜１９のいずれか一項に記載のポリペプチド分子および／またはその断片をｉｎ ｖｉｔｒｏで検出する方法であって、前記ポリペプチド分子および／または断片に特異的な試薬を前記試料に接触させ、これらの結合を検出することを含んでなる、方法。
【請求項２３】
請求項１４〜１９のいずれか一項に記載のポリペプチドおよび／またはその断片を検出するためのテストキットであって、前記ポリペプチドおよび／または断片に特異的な少なくとも一種の試薬を含んでなる、テストキット。
【請求項２４】
請求項２１に記載の、前記ポリペプチド分子および／または断片に特異的な少なくとも一種の抗体を含む、請求項２３に記載のテストキット。
【請求項２５】
生物試料中の請求項１４〜１７のいずれか一項に記載のポリペプチド分子をコードする核酸をｉｎ ｖｉｔｒｏで検出する方法であって、
前記試料に、検出可能な標識を有する請求項１〜６のいずれか一項に記載の核酸分子および／またはその断片を接触させる工程、ならびに
前記標識を検出する工程
を含んでなる、方法。
【請求項２６】
請求項１４〜１９のいずれか一項に記載の少なくとも一種のポリペプチド分子および／もしくはその断片、ならびに／または前記分子または前記断片の医薬上適合する塩を含有する、医薬組成物。
【請求項２７】
少なくとも一種の抗体をさらに含有する、請求項２６に記載の医薬組成物。
【請求項２８】
脱髄性疾患もしくは神経変性疾患、または神経系の発達障害の治療に用いるための、請求項２６または２７に記載の医薬組成物。
【請求項２９】
ヒトにおけるＨＩＶ感染症、特にＨＩＶ脳症の予防または治療に用いるための、請求項２６または２７に記載の医薬組成物。
【請求項３０】
造血系、免疫系および心血管系の疾患の治療に用いるための、請求項２６または２７に記載の医薬組成物。
【請求項３１】
請求項１４〜１９のいずれか一項に記載のポリペプチド分子および／またはその断片に特異的な少なくとも一種の試薬を含有する、医薬組成物。
【請求項３２】
前記試薬が抗体である、請求項３１に記載の医薬組成物。
【請求項３３】
請求項１〜８のいずれか一項に記載の少なくとも一種の核酸分子を含有する、医薬組成物。
【請求項３４】
脱髄性疾患もしくは神経変性疾患、または神経系の発達障害の診断または治療に用いるための、請求項３１〜３３のいずれか一項に記載の医薬組成物。
【請求項３５】
ヒトにおけるＨＩＶ感染症、特にＨＩＶ脳症の診断または治療に用いるための、請求項３１〜３３のいずれか一項に記載の医薬組成物。
【発明の詳細な説明】
【０００１】
本発明は、ケモカイン、神経ペプチド前駆体または少なくとも一つの神経ペプチドをコードする核酸配列を含んでなる核酸分子、ならびにこの核酸分子を含有する宿主細胞に関する。さらに、本発明は、ケモカインもしくは神経ペプチドとして機能する、または少なくとも一つの神経ペプチドを含むポリペプチド分子、および少なくとも一つの神経ペプチドを含むその断片、ならびに前記ポリペプチド分子またはその断片の製造方法に関する。さらに、本発明は、抗体、検出方法およびテストキット、ならびに医薬組成物に関する。
【０００２】
ＳＤＦ−１α（間質細胞由来因子１α）および選択的スプライシングから生じるそのイソ型であるＳＤＦ−１βは、マウスの骨髄間質細胞株から初めてクローニングされた（Ｔａｓｈｉｒｏ ｅｔ ａｌ． １９９３）。得られたアミノ酸配列の、インターロイキン８（３２％）およびマクロファージ炎症タンパク質１α（３２％）の配列との確たる相同性と４つの特徴的なシステイン残基の存在に基づき、ＳＤＦ−１αおよびＳＤＦ−１βはＣＸＣ（α）ケモカインのグループに属するものとされている。ＣＸＣ（α）ケモカインは、様々な距離関係にある炎症性サイトカインからなる、インタークリン（ｉｎｔｅｒｃｒｉｎｅ）サイトカイン系のサブグループである。マウスおよびヒトのＳＤＦ−１αおよびＳＤＦ−１βのｃＤＮＡ配列は互いに高い相同性を示し、一つの遺伝子の選択的スプライシングから生じたものである。
【０００３】
ＳＤＦ−１の生物学的機能はヒトＳＤＦ−１αによって検討された。ＳＤＦ−１αはＢ細胞の成熟に必要とされ、Ｔリンパ球向性を作動し、神経細胞系ｈＮＴに細胞死を誘導する。ＳＤＦ−１αは、Ｔリンパ球向性ＨＩＶ１株の結合性補因子であるＴ細胞のケモカイン受容体ＣＸＣＲ４（ＬＥＳＴＲ／Ｆｕｓｉｎ）の天然リガンドである。ＳＤＦ−１αおよびβは、繊維芽細胞および肝細胞においてｉｎ ｖｉｔｒｏでもｉｎ ｖｉｖｏでも「増殖停止状態」特異的発現パターンを示す。ＳＤＦ−１遺伝子が不活性化されたマウスは、Ｂ細胞形成の低下、心室中隔の欠損および小脳への細胞移動の欠損を示し、誕生後すぐに死亡する。ＳＤＦ−１は神経再生において重要な役割を果たす可能性がある。
【０００４】
本発明は、その基礎として、ＳＤＦ−１因子またはその受容体（ＣＸＣＲ４）の欠陥に関連する疾病の診断および／または治療のための新たな手段を提供することを目的とする。
【０００５】
本発明によれば、この目的は、以下の配列を含んでなる核酸分子によって達成される：
（１）以下の配列から選択される、ケモカイン、神経ペプチド前駆体または少なくとも一つの神経ペプチドをコードする核酸配列：
（ａ）配列番号１で表される核酸配列、
（ｂ）配列番号２で表されるアミノ酸配列を有するポリペプチドをコードする核酸配列、
（ｃ）前記（ａ）に示される配列に対して少なくとも６０％の同一性を有する核酸配列、
（ｄ）前記（ａ）に示される配列のもう一方の鎖とハイブリダイズする、もしくは遺伝コードの縮重を考慮した上でハイブリダイズするものとされる配列、および
（ｅ）前記（ａ）または前記（ｂ）に示される一の配列の誘導体であって、１以上のヌクレオチドの置換、付加、逆位および／または欠失によって得られ、ケモカイン、神経ペプチド前駆体または少なくとも一つの神経ペプチドをコードする、誘導体；または
（２）前記（ａ）〜（ｅ）に示される核酸配列の一つと相補的な配列。
【０００６】
本明細書において用いられる「ポリペプチド」には、７以上のアミノ酸から構成されるペプチドまたはタンパク質も含まれる。
【０００７】
「ケモカイン」とは、比較的小さなタンパク質のファミリーのメンバーを表し、特徴的なシステイン残基の配置に基づいて４つのサブグループ：Ｃ、ＣＣ、ＣＸＣおよびＣＸ３Ｃに分けられる。これらのケモカインは特異的な受容体に結合する（Ｒｏｌｌｉｎｓ， Ｂ． Ｊ． １９９７）。本発明に関して、「ケモカイン」は、特にＣＸＣケモカインファミリーのメンバーに対して用いられる。本発明におけるケモカインは、好ましくは、Ｋｏｌｌｅｒ ｅｔ ａｌ （２００１）に記載の条件下でのＣａ画像実験において、ラットまたはヒトの中枢神経系由来の一次星状細胞および／またはニューロンにおける細胞内カルシウム濃度に１．５倍〜１０倍の上昇をもたらすポリペプチド分子とされる。
【０００８】
神経系において調節および調整機能を有する、生物学的に活性で生理学上重要なシグナル分子を、「神経ペプチド」という。これらの機能性ドメインとしては、とりわけ、神経伝達、受容体調整、細胞膜の電気生理学的特性の変更および代謝プロセスの各ドメインが挙げられる。神経ペプチドはニューロンで合成され、
その大部分がシナプスで放出される（Ｓｉｅｇｅｌ ｅｔ ａｌ．， １９８９）。
【０００９】
「神経ペプチド前駆体」とは、タンパク質分解による開裂によって活性型神経ペプチドに変換されるタンパク質前駆体とされる。
【００１０】
本発明による核酸分子に含まれる核酸配列は、ゲノムＤＮＡ、ｃＤＮＡまたは合成ＤＮＡであってよく、ここで合成ＤＮＡ配列とは、改変されたヌクレオシド内結合も含むものとされる。
【００１１】
本発明による核酸配列に関して「少なくとも６０％の同一性を有する」とは、
周知の方法、例えばコンピューターによる配列比較（Ａｌｔｓｃｈｕｌ ｅｔ ａｌ．， １９９０）によって決定することができるＤＮＡレベルでの同一性をいう。
【００１２】
当業者に周知の「同一性」とは、配列間の一致によって決定される２以上の核酸分子間の関連の程度を意味する。「同一性」のパーセンテージは、ギャップその他の配列の特色を考慮した２以上の配列における同一領域のパーセンテージによって示される。
【００１３】
関連のある核酸分子の相互の同一性は、周知の方法を参照して決定することができる。多くの場合、専用のコンピュータープログラムには、特定のカリキュレーションベアリング・アルゴリズム要素が挿入されている。同一性決定の好ましい方法では、ほとんどの場合、検討される配列間の最大の一致が算出される。２つの配列間の同一性の決定のためのコンピュータープログラムとしては、ＧＡＰを包含するＧＣＧプログラムパッケージ（Ｄｅｖｅｒｅｕｘ， Ｊ．， ｅｔ ａｌ．， Ｎｕｃｌｅｉｃ Ａｃｉｄｓ Ｒｅｓｅａｒｃｈ １２ （１２） ３８７， １９８４）、ウイスコンシン大学遺伝学コンピューターグループ（Ｇｅｎｅｔｉｃｓ Ｃｏｍｐｕｔｅｒ Ｇｒｏｕｐ ｕｎｉｖｅｒｓｉｔｙ ｏｆ Ｗｉｓｃｏｎｓｉｎ， Ｍａｄｉｓｏｎ ＷＩ）、ＢＬＡＳＴＰ、ＢＬＡＳＴＮおよびＦＡＳＴＡ（Ａｌｔｓｃｈｕｌ ｅｔ ａｌ．， １９９０）が挙げられるが、これらに限定されるものではない。ＢＬＡＳＴＸプログラムはｔｈｅ Ｎａｔｉｏｎａｌ Ｃｅｎｔｒｅ ｆｏｒ Ｂｉｏｔｅｃｈｎｏｌｏｇｙ Ｉｎｆｏｒｍａｔｉｏｎ （ＮＣＢＩ）から、または他の供給元（ＢＬＡＳＴ ｈａｎｄｂｏｏｋ， Ａｌｔｓｃｈｕｌ Ｓ． ｅｔ ａｌ．， ＮＣＢ ＮＬＭ ＮＩＨ Ｂｅｔｈｅｓｄａ ＭＤ ２０８９４； Ａｌｔｓｃｈｕｌ ｅｔ ａｌ．， １９９０）から入手できる。また、周知のＳｍｉｔｈ Ｗａｔｅｒｍａｎアルゴリズムも同一性の決定に使用できる。
【００１４】
核酸配列比較のための好ましいパラメーターとしては以下のものが挙げられる：
2004521607.tif 000003
【００１５】
また、ＧＡＰプラグラムも上記のパラメーターとともに用いるのに好適である。上記のパラメーターは、核酸配列比較のための標準パラメーター（デフォルトパラメーター）である。
【００１６】
その他のアルゴリズムの例としては、プログラムハンドブック（ウイスコンシンパッケージ、バージョン９、１９９７年９月）に記載されているギャップ・オープニング・ペナルティー、ギャップ・エクステンション・ペナルティ、比較マトリックスが挙げられ、これも使用できる。何を選択するかは、実行される比較によって異なり、さらには、実行される比較が、ＧＡＰまたはＢｅｓｔ Ｆｉｔが好ましいとされる配列対の間のものであるか、またはＦＡＳＴＡおよびＢＬＡＳＴが好ましいとされる配列および包括的データバンクの間のものであるかによって異なる。上記アルゴリズムで確認した場合における６０％の一致は、この報告において６０％の同一性であるとされる。さらに高い程度の同一性は相応の妥当性を持つ。
【００１７】
「（ａ）に示される配列のもう一方の鎖とハイブリダイズする配列」とは、（ａ）に示される配列のもう一方の鎖とストリンジェントな条件下でハイブリダイズする配列をいう。例えば、ハイブリダイゼーションは、４２℃にて、５×ＳＳＰＥ、５×デンハート溶液、０．１％ＳＤＳ、１００μｇ／ｍｌサケ精子ＤＮＡ、３０〜５０％ホルムアミドからなるハイブリダイゼーション溶液を用いて行えばよい（Ｓａｍｂｒｏｏｋ ｅｔ ａｌ．， １９８９）。洗浄段階では、２×ＳＳＰＥ、０．１％ＳＤＳ中４２℃で１０〜１５分の洗浄を２回行なった後、２×ＳＳＰＥ、０．１％ＳＤＳ中５０℃で２０分の洗浄を２回行なう。あるいは、洗浄液において、ＳＳＰＥの代わりにＳＳＣを用いてもよい。
【００１８】
驚くべきことに、今般、本発明による核酸分子は、ケモカインのＳＤＦファミリーの新たなメンバーであることが分かった。これをＳＤＦ−１γと呼ぶ。ヒトＳＤＦ−１γおよびラットＳＤＦ−１γに関するＳＤＦ−１γｃＤＮＡのクローニングおよび特徴づけ、ならびにその核酸配列およびそれから得られるアミノ酸配列は実施例に記載されている。
【００１９】
ＳＤＦ−１γ核酸配列は、ＳＤＦ−１βの全核酸配列、および同じ読み枠の下流においてＳＤＦ−１βのコドン８９につながる２５７２個のヌクレオチドの付加配列からなる。この挿入により、新規なＳＤＦ−１γポリペプチドは、１１９個のアミノ酸を有するアミノ酸配列および理論分子量１３．６Ｋｄを有し、この配列は、既知のＳＤＦ−１α配列に比べ、カルボキシ末端においてアミノ酸３０個だけ長くなっている。ＳＤＦ−１γは、既知のエクソンＩＩＩとＩＶの間に新たな別のエクソンＩＩＩａの挿入により生じたものであると考えられる（Ｓｈｉｒｏｚｕ ｅｔ ａｌ．， １９９５参照）。
【００２０】
ＳＤＦ−１γのアミノ酸配列のカルボキシ末端領域では、２つの塩基性アミノ酸（Ｌｙｓ−Ｌｙｓ、Ａｒｇ−ＡｒｇおよびＬｙｓ−Ａｒｇ）の５グループにより、ゴルジ体および分泌小胞の膜結合プロテアーゼの認識パターンが形成され得る。この部位のタンパク質分解による開裂によって、５つの短いペプチド（配列番号５、配列番号６、配列番号８、配列番号９、配列番号１０）および１つの短縮されたタンパク質（配列番号７）が生じ、これらのうち、２つのペプチドおよび１つのポリペプチド（配列番号５、配列番号６および配列番号７）は、そのカルボキシ末端にグリシン残基を有する。カルボキシ末端にグリシン残基を有するペプチドは、ペプチジル−α−アミド化モノオキシゲナーゼ（ＰＡＭ）（カルボキシレートのカルボキシ末端開裂を触媒し、これにより、神経ペプチドに特徴的なα−アミド化カルボキシ末端 （ＣＯＮＨ２）を生じる）の可能性のある基質である（Ｅｉｐｐｅｒ ｅｔ ａｌ．， １９９２による総説参照）。
【００２１】
ラットＳＤＦ−１β転写産物（配列番号１６参照）は９３個のアミノ酸（配列番号１７参照）および理論分子量１０．５ｋＤを有するタンパク質をコードし、ここで最初の１９個のアミノ酸は分泌タンパク質のシグナル配列を表す。全てイソ型として生じる成熟タンパク質の最初の１７個のアミノ酸は、ＣＸＣＲ４受容体との結合に必要である（Ｌｏｅｔｓｃｈｅｒ ｅｔ ａｌ．， １９９８， Ｄｏｒａｎｚ ｅｔ ａｌ．， １９９９参照）。カルボキシ末端領域の２つの塩基性アミノ酸（ｌｙｓ８９およびａｒｇ９０）はタンパク質分解による開裂の認識パターンを提供し、これにより、ペンタペプチド（ｌｙｓ８９−ｍｅｔ９３、配列番号１８）および短縮されたタンパク質が生じる。
【００２２】
本発明の一つの実施形態によれば、本発明による核酸分子は、配列番号１で表される核酸配列に対して、少なくとも８０％、好ましくは少なくとも９０％、特に好ましくは少なくとも９５％の同一性を有する核酸配列を含む。
【００２３】
配列番号３で表される核酸配列、または配列番号４で表されるアミノ酸配列を有するポリペプチドをコードする核酸配列を含む核酸分子が特に好ましい。
【００２４】
本発明による核酸分子は、発現に好適なプロモーターをさらに含んでもよく、ここでコード核酸配列はそのプロモーターの制御下に置かれる。ここで用いられる「発現に好適なプロモーター」とは、プロモーターエレメントの制御下にある、ケモカイン、神経ペプチド前駆体または少なくとも一つの神経ペプチドをコードする核酸配列の転写（ＲＮＡ合成）の開始点および開始頻度が宿主生物内で確立するＤＮＡ断片を意味する。選択されるプロモーターは、発現に用いられる発現系によって異なる。一般に構成プロモーターが好ましいが、例えばメタロチオネインプロモーターなどの誘導プロモーターも使用できる。本発明を実施するのに有用なプロモーターとしては、とりわけ、ハンセニューラ・ポリモルファ（Ｈａｎｓｅｎｕｌａ ｐｏｌｙｍｏｒｐｈａ）由来のＦＭＤ−、ＭＯＸ−、ＴＰＳ１−、ＰＭＡ１−およびＤＡＳ−プロモーター、Ｓ．セレビシエ（Ｓ． ｃｅｒｅｖｉｓｉａｅ）由来のＡＤＨ１−、ＰＤＣ１−、ＧＡＰ１−およびＣＵＰ１−プロモーター、アルクスラ・アデニノボランス（Ａｒｘｕｌａ ａｄｅｎｉｎｏｖｏｒａｎｓ）由来のＡＸＤＨ−およびＡＳＨＢ４−プロモーター、ならびにソルダリア・マクロスポラ（Ｓｏｒｄａｒｉａ ｍａｃｒｏｓｐｏｒａ）由来のＮＤＫ１−およびＣＰＣ２−プロモーターが挙げられる。
【００２５】
本発明による核酸分子は、宿主細胞内での核酸分子の複製および／または宿主細胞ゲノムへの核酸分子の組込みを可能とするベクターの配列をさらに含んでもよい。当技術分野では、多くのクローニングベクターおよび発現ベクターが知られている（Ｒｅｃｏｍｂｉｎａｎｔ Ｇｅｎｅ Ｅｘｐｒｅｓｓｉｏｎ Ｐｒｏｔｏｃｏｌｓ， Ｍｅｔｈ． Ｍｏｌ． Ｂｉｏｌ． Ｖｏｌ ６２， Ｈｕｍａｎａ Ｐｒｅｓｓ， Ｈｅｗ Ｊｅｒｓｅｙ， ＵＳＡ参照）。宿主細胞内での複製のために用いるベクターは、複製開始点および必要であればさらなる調節領域を含んでいなければならない。ベクターは、λ派生物などのバクテリオファージ、アデノウイルス、ワクシニアウイルス、バキュロウイルス、ＳＶ４０ウイルス、レトロウイルス、アグロバクテリウム・ツメファシエンス（Ａｇｒｏｂａｃｔｅｒｉｕｍ ｔｕｍｅｆａｓｃｉｅｎｓ）由来のＴｉプラスミドなどのプラスミド、ＹＡＣベクターおよびＢＡＣベクターから選択することができる。
【００２６】
さらに、本発明によれば、少なくとも本発明による核酸分子を含有する宿主細胞が提供され、この宿主細胞は、核酸分子の発現に好適であり、さらには、必要であれば生じたポリペプチド分子のプロセシングに好適な原核または真核細胞である。当技術分野では、膨大な数の原核および真核発現系が知られている。宿主細胞は、例えば、大腸菌（Ｅ． ｃｏｌｉ）および枯草菌（Ｂ． ｓｕｂｔｉｌｉｓ）などの原核細胞から選択してもよいし、真菌細胞、植物細胞、昆虫細胞および哺乳類細胞、例えばＣＨＯ細胞、ＣＯＳ細胞もしくはＨｅＬａ細胞またはその派生物などの真核細胞から選択してもよい。当技術分野では、例えばあるＣＨＯ産生株が知られており、これはＣＨＯ細胞に比べてグリコシル化パターンが変更されている。真核細胞は、好ましくは酵母サッカロミセス・セレビシエ、メチロトローフ酵母ハンセニューラ・ポリモルファ、二形性酵母アルクスラ・アデニニボランス（Ａｒｘｕｌａ ａｄｅｎｉｎｉｖｏｒａｎｓ）または糸状菌ソルダリア・マクロスポラである。
【００２７】
さらに、本発明によれば、以下の配列から選択されるアミノ酸配列を含んでなるポリペプチド分子が提供される：
（ｉ）配列番号５、配列番号６、配列番号７、配列番号８、配列番号９および／または配列番号１０で表されるアミノ酸配列の一つ、および／またはこれらの配列の２以上の組合せを含むアミノ酸配列、
（ｉｉ）配列番号４で表されるアミノ酸配列、
（ｉｉｉ）配列番号４の第２０アミノ酸〜第１１９アミノ酸の配列に相当するアミノ酸配列、
（ｉｖ）配列番号２２で表されるアミノ酸配列、および
（ｖ）前記（ｉ）、（ｉｉ）、（ｉｉｉ）または（ｉｖ）に示される配列に対して少なくとも８５％の同一性を有するアミノ酸配列。
【００２８】
ここで、「少なくとも８５％の同一性を有する」とは、周知の方法、例えばコンピューターによる配列比較（Ａｌｔｓｃｈｕｌ ｅｔ ａｌ．， １９９９）によって決定されるアミノ酸配列レベルでの一致をいう。
【００２９】
ここで「同一性」とは、配列間の一致によって決定される２以上のポリペプチド分子間の関連の程度を意味し、ここで一致という場合、同一としての一致と保存的アミノ酸置換の双方を意味するものとされる。「同一性」のパーセンテージは、ギャップその他の配列の特色を考慮した２以上の配列における同一領域のパーセンテージによって示される。
【００３０】
「保存的アミノ酸置換」とは、その置換がポリペプチド分子の（空間的な）構造に極めて限定された影響しか及ぼさない、あるアミノ酸残基から別のアミノ酸残基への置換をいう。基本的に、天然に存在するアミノ酸は、物理化学的に異なる４つの群に分類される。アルギニン、リジンおよびヒスチジンは塩基性アミノ酸群に属する。グルタミン酸およびアスパラギン酸は酸性アミノ酸に属する。無電荷／極性アミノ酸には、グルタミン、アスパラギン、セリン、トレオニンおよびチロシンが含まれる。非極性アミノ酸には、フェニルアラニン、トリプトファン、システイン、グリシン、アラニン、バリン、メチオニン、イソロイシン、ロイシンおよびプロリンが含まれる。ここで、保存的アミノ酸置換は、示されたアミノ酸の、同じ物理化学群に属するアミノ酸による置換を意味する。
【００３１】
関連のあるポリペプチド分子の相互の同一性は、周知の方法を参照して決定することができる。同一性決定の好ましい方法は、調べる配列間の最大一致に極めて近い値を示すものである。２つの配列間の同一性の決定のためのコンピュータープログラムとしては、ＧＡＰを包含するＧＣＧプログラムパッケージ（Ｄｅｖｅｒｅｕｘ， Ｊ．， ｅｔ ａｌ．， Ｎｕｃｌｅｉｃ Ａｃｉｄｓ Ｒｅｓｅａｒｃｈ １２ （１２） ３８７， １９８４）、ウイスコンシン大学遺伝学コンピューターグループ（Ｇｅｎｅｔｉｃｓ Ｃｏｍｐｕｔｅｒ Ｇｒｏｕｐ ｕｎｉｖｅｒｓｉｔｙ ｏｆ Ｗｉｓｃｏｎｓｉｎ， Ｍａｄｉｓｏｎ ＷＩ）、ＢＬＡＳＴＰ、ＢＬＡＳＴＮおよびＦＡＳＴＡ（Ａｌｔｓｃｈｕｌ ｅｔ ａｌ．， １９９０）が挙げられるが、これらに限定されるものではない。ＢＬＡＳＴＸプログラムはｔｈｅ Ｎａｔｉｏｎａｌ Ｃｅｎｔｒｅ ｆｏｒ Ｂｉｏｔｅｃｈｎｏｌｏｇｙ Ｉｎｆｏｒｍａｔｉｏｎ （ＮＣＢＩ）から、または他の供給元（ＢＬＡＳＴ ｈａｎｄｂｏｏｋ， Ａｌｔｓｃｈｕｌ Ｓ． ｅｔ ａｌ．， ＮＣＢ ＮＬＭ ＮＩＨ Ｂｅｔｈｅｓｄａ ＭＤ ２０８９４； Ａｌｔｓｃｈｕｌ ｅｔ ａｌ．， １９９０）から入手できる。また、周知のＳｍｉｔｈ Ｗａｔｅｒｍａｎアルゴリズムも同一性の決定に使用できる。
【００３２】
配列比較のための好ましいパラメーターとしては下記のものが挙げられる：
2004521607.tif 000004
【００３３】
また、ＧＡＰプログラムも上記のパラメーターとともに用いるのに好適である。上記のパラメーターは、アミノ酸配列比較の標準パラメーター（デフォルトパラメーター）であり、これによって末端のギャップが同一性の値を小さくすることはない。極めて短い配列の場合には、さらに、参照配列と比較する際に予測値を１００，０００まで高め、ワードサイズを２に減らす必要があるかもしれない。
【００３４】
その他のアルゴリズムの例として、プログラムハンドブック（ウイスコンシンパッケージ、バージョン９、１９９７年９月）に記載されているものをはじめ、ギャップ・オープニング・ペナルティー、ギャップ・エクステンション・ペナルティ、比較レンプレートを使用してもよい。何を選択するかは、実行される比較によって異なり、さらには、実行される比較が、ＧＡＰもしくはＢｅｓｔ Ｆｉｔが好ましいとされる配列対の間のものであるか、またはＦＡＳＴＡもしくはＢＬＡＳＴが好ましいとされる配列および包括的データバンクの間のものであるかによって異なる。
【００３５】
上記アルゴリズムによって得られる８５％の一致は、本明細書において８５％の同一性であるとされる。さらに高い程度の同一性は相応の妥当性を持つ。
【００３６】
本発明の一つの実施形態によれば、本発明によるポリペプチド分子は、上記（ｉ）、（ｉｉ）、（ｉｉｉ）または（ｉｖ）に示されるアミノ酸配列と少なくとも９０％、好ましくは少なくとも９５％の同一性を有する配列を含む。配列番号１２または配列番号１３で表されるアミノ酸配列を含むポリペプチド分子が特に好ましい。
【００３７】
本発明の一つの実施形態によれば、本発明によるポリペプチド分子は、配列番号５、配列番号６および／または配列番号７で表されるアミノ酸配列を含む。配列番号５および配列番号６で表されるアミノ酸配列を含む本発明によるポリペプチド分子が好ましい。
【００３８】
他の実施形態によれば、本発明により、本発明による少なくとも一つのポリペプチドを含んでなる融合タンパク質が提供される。
【００３９】
少なくとも一つの神経ペプチドを含む、本発明によるポリペプチド分子の断片も同様に本発明に包含される。前記断片は、配列番号５、配列番号６、配列番号７、配列番号８、配列番号９および／または配列番号１０で表される少なくとも一つのアミノ酸配列を含むことが好ましい。配列番号５、配列番号６または配列番号７で表されるアミノ酸配列を有する断片が特に好ましい。また、本発明によるポリペプチド分子の断片は、例えばグリコシル化、リン酸化、アセチル化またはアミド化によって修飾されていてもよい。
【００４０】
好ましくは、本発明によるペプチド分子、ペプチド分子の融合タンパク質または断片は、Ｋｏｌｌｅｒ （２００１）に記載の条件下でのＣａ画像実験において、ラットまたはヒトの中枢神経系に由来する一次星状細胞および／またはニューロンにおける細胞内カルシウム濃度に１．５〜１０倍の上昇をもたらすことが示される。
【００４１】
さらに、本発明によれば、本発明によるポリペプチド分子および／またはその断片の製造方法であって、発現および実行する可能性のあるプロセッシングに好適な条件下で本発明による宿主細胞を培養すること、ならびに、所望により、発現したポリペプチド分子または断片を精製すること、を含んでなる方法が提供される。あるいは、ポリペプチド分子およびその断片は、例えばＭｅｒｒｉｆｉｅｌｄ合成および／または断片縮合などの化学的および酵素的合成によって得てもよい。化学的、酵素的および組換え作出法の組合せも同様に考えられる。
【００４２】
さらに、本発明によれば、本発明のポリペプチド分子および／またはその断片に特異的な抗体が提供される。一般に、特異的抗体は、本発明によるポリペプチド分子または断片、好ましくは好適な高分子量担体分子（多くの場合タンパク質）と結合させたものを用いて、例えばマウスまたはウサギなどの実験動物を免疫化することによって作製することができる。この場合、免疫化は当技術分野で公知の好適なアジュバントによって促進することができる。モノクローナル抗体は、通常、免疫化したマウスから採取した脾臓細胞と腫瘍細胞とを融合し、生じたハイブリドーマを選択することによって得ることができる。効率的に特異的抗体を分泌するハイブリドーマは、生き残っているものを走査することにより判断することができる。あるいは、抗体は組換え技術によって製造してもよく、この組換え抗体の製造では、ハイブリドーマ細胞またはＢリンパ球からｍＲＮＡを単離し、これに基づいて対応するｃＤＮＡを合成し、ＰＣＲにより増幅させる。好適なベクター内へ連結し、好適な宿主細胞へ挿入した後、細胞培養残渣または細胞溶解物から回収することができる。組換え抗体により抗体の「ヒト化」が可能であり、その結果、免疫原性が小さくなる。適切な方法は当技術分野で周知である。
【００４３】
生物試料における本発明によるポリペプチド分子および／またはその断片の検出において、本発明によれば、ポリペプチド分子および／またはその断片に特異的な試薬を該試料に接触させ、これらの結合を検出することを含んでなる、ｉｎ ｖｉｔｒｏにおける方法が提供される。
【００４４】
さらに、本発明によれば、本発明によるポリペプチドおよび／または断片に特異的な少なくとも一種の試薬を含んでなる、ポリペプチドまたはその断片を検出するためのテストキットが提供される。このような特異的試薬の例としては、抗体、抗体フラグメント、例えばＦａｂもしくはＦ（ａｂ）２フラグメントまたは抗体誘導体があり、そのうち、抗体が特に好ましい。抗体、抗体フラグメント、例えばＦａｂもしくはＦ（ａｂ）２フラグメントまたは抗体誘導体は、モノクローナル起源であってもポリクローナル起源であってもよい。
【００４５】
さらに、本発明によれば、生物試料中の本発明によるポリペプチド分子をコードする核酸をｉｎ ｖｉｔｒｏで検出する方法が提供され、該方法は、
前記試料に、検出可能な標識を有する本発明による核酸分子および／またはその断片を接触させる工程、ならびに
前記標識を検出する工程
を含んでなる。
【００４６】
さらに、本発明によれば、本発明による少なくとも一種のポリペプチド分子および／もしくはその断片、ならびに／または前記ポリペプチド分子または前記断片の医薬上許容される塩を含有する医薬組成物が提供される。これらの医薬組成物は、医薬上許容される賦形剤および／または希釈剤を含んでもよい。好適な賦形剤または希釈剤は当技術分野で周知である。静脈内、皮下または筋肉内投与に好適な医薬組成物が好ましい。本発明による医薬組成物の一つの実施形態によれば、該組成物はまた、本発明による１以上のポリペプチド分子またはその断片の他、少なくとも一種の抗体を含有する。
【００４７】
本発明によれば、これらの医薬組成物は、脱髄性疾患（ｄｅｍｙｅｌｉｎａｔｉｎｇ ｄｉｓｅａｓｅ）もしくは神経変性疾患（ｎｅｕｒｏｄｅｇｅｎｅｒａｔｉｖｅ ｄｉｓｅａｓｅ）、または神経系の発達障害（ｄｅｖｅｌｏｐｍｅｎｔａｌ ｄｉｓｏｒｄｅｒ）の治療に使用できる。本発明による医薬組成物のさらなる用途としては、ヒトにおけるＨＩＶ感染症、特にＨＩＶ脳症の予防または治療がある。同様に、本発明は、造血系、免疫系ならびに心臓・循環系の疾病の治療のための本発明による医薬組成物の使用を包含する。
【００４８】
本発明によるポリペプチド分子および／またはその断片に特異的な少なくとも一種の試薬を含有する医薬組成物も、本発明に包含される。この試薬は、好ましくは抗体である。このような医薬組成物は、脱髄性疾患もしくは神経変性疾患、または神経系の発達障害の診断または治療に使用できる。他の用途としては、ヒトにおけるＨＩＶ感染症、特にＨＩＶ脳症の診断または治療がある。
【００４９】
以下に示す図面および実施例により、本発明を説明する。
【００５０】
実施例
実施例１：ＳＤＦ−１γのクローニングおよび配列解析
Ａ．材料および方法
動物実験
成体ウィスターラット（体重２００〜２５０ｇ）をクロラール水和物（３５０ｍｌ／体重ｋｇ）の腹腔内投与により麻酔した。大腿上部の坐骨神経を鉗子で一時的に圧迫した（Ｍｕｌｌｅｒ ｅｔ ａｌ．， １９８６）。この神経経路からＲＮＡを得るため、創傷の前後２〜３ｍｍの組織を摘出し、処置した。動物に対する試験は総て、ドイツ動物保護法の指針に従って行った。
【００５１】
ＲＮＡの単離
ラット組織からの全ＲＮＡをフェノール−グアニジン−チオシアネート法（Ｃｈｏｍｃｚｙｎｓｋｉ ａｎｄ Ｓａｃｃｈｉ， １９８７）によって単離した。凍結組織標本を、ポリトロン（Ｂｒｉｎｋｍａｎｎ， Ｗｅｓｔｂｕｒｙ， ＵＳＡ）を用いて、２５００ｒｐｍで４５秒間の均質化を２回行なった。ポリＡ＋ＲＮＡを、オリゴ（ｄＴ）セルロースクロマトグラフィー（Ｓａｍｂｒｏｏｋ ｅｔ ａｔ．， １９８８）により単離した。
【００５２】
ｃＤＮＡ遺伝子バンクの構築
ｃＤＮＡ遺伝子バンクの構築のため、成体マウスの坐骨神経由来の４．５μｇポリＡ＋ＲＮＡを鋳型として用い、オリゴ（ｄＴ）１２−１８をプライマーとして用いた。ｃＤＮＡはＴｉｍｅＳａｖｅｒ  ｃＤＮＡ合成キット（Ｐｈａｒｍａｃｉａ ＬＫＢ， Ｐｉｓｃａｔａｗａｙ， ＮＪ）を用いて作製した。このｃＤＮＡを、ギガパックＩＩパッケージング抽出液（Ｓｔｒａｔａｇｅｎｅ）を用いて、ＥｃｏＲＩで予め切断しておいたλ−ＺＡＰＩＩファージ粒子に連結することにより結合させた。得られたｃＤＮＡ遺伝子バンクの評価の結果、約０．５×１０６の複雑性が得られた。遺伝子バンクのスクリーニングは、ｒＳＤＦ−１βの３’非翻訳領域（ヌクレオチド７４３〜１３６８）由来の放射性標識ＤＮＡ断片を用いて、標準的な方法により行った（Ｓａｍｂｒｏｏｋ ｅｔ ａｔ， １９６９）。
【００５３】
オリゴヌクレオチド
下記のオリゴヌクレオチドを、ＧｅｎｅＡｓｓｅｍｂｌｅｒ Ｐｌｕｓ Ｓｙｎｔｈｅｓａｔｏｒ （Ｐｈａｒｍａｃｉａ， Ｐｉｓｃａｔａｗａｙ， ＮＪ）を用いて合成した：
ＭＭＳＥ２：５’−ＡＣＧＣＣＡＴＧＧＡＣＧＣＣＡＡＧＧＴＣＧ−３’（配列番号１９）（ｒＳＤＦ−１β−ｃＤＮＡのヌクレオチド４９〜６９に相当）；
ＧＡＳ２：５’−ＡＣＴＧＴＡＡＧＧＡＡＧＡＣＣＣＴＣＴＣＴＣＡＣＣ−３’（配列番号２０）（ＳＤＦ−１γのヌクレオチド２３２７〜２３０３に相当）；
ＧＡＳ３：５’−ＧＴＴＧＡＧＡＣＴＡＴＧＣＡＴＣＧＡＣＴＣＣＡＡＣ−３’（配列番号２１）（ＳＤＦ−１γのヌクレオチド２５７６〜２５５２に相当）。
【００５４】
ＤＮＡ配列の決定および解析
隣接領域を含むＳＤＦ−１βおよびＳＤＦ−１γ中の２．５Ｋｂ長の挿入物のｃＤＮＡ両鎖を、Ｔ１７シーケンシングキット（Ｐｈａｒｍａｃｉａ−ＬＫＢ）を用いたジデオキシ−ＤＮＡシーケンシング法（Ｓａｎｇｅｒ ｅｔ ａｌ．， １９７７）によって配列決定した。
これらの配列はＲＴ−ＰＣＲ反応からの他の独立したクローンを配列決定することにより確認した。ＦＡＳＴＡ （Ｐｅａｒｓｏｎ １９８０）およびＢＬＡＳＴ （Ａｌｔｓｃｈｕｌ ｅｔ ａｔ．， １９９０）プログラムを用い、データをＥＭＢＬデータバンクと比較した。これらの配列のさらなる包括的解析を、ＰＣＧＥＮＥソフトパッケージ（Ｉｎｔｅｌｌｉｇｅｎｅｔｉｃｓ， Ｍｏｕｎｔａｉｎ Ｖｉｅｗ， ＣＡ）を用いて行った。
【００５５】
ＲＴ−ＰＣＲ
１．５μｇの全ＲＮＡおよび逆転写酵素Ｓｕｐｅｒｓｃｒｉｐｔ（Ｇｉｂｃｏ， Ｇａｉｔｈｅｒｓｂｕｒｇ）を用い、製造業者の説明書に従って逆転写を行った。最初のｃＤＮＡ鎖をＲＮアーゼＨ（Ｂｏｅｈｒｉｎｇｅｒ Ｍａｎｎｈｅｉｍ）で消化し、さらにＡｍｐｌｉｔａｑポリメラーゼ（Ｐｅｒｔｋｉｎ Ｅｌｍｅｒ）またはＰｆｕポリメラーゼ（Ｓｔｒａｔａｇｅｎｅ， Ｌａ Ｊｏｌｌａ） （ＳＤＦ−１γ用）によるＰＣＲ増幅の鋳型としてその１／１０量を用いた。
【００５６】
Ｂ．ＳＤＦ−１γのクローニングおよびシーケンシング
神経病巣の後に示差的に発現する遺伝子の同定のために、ラット坐骨神経から作製した遺伝子バンクから、２１７４ヌクレオチドを有するｃＤＮＡクローンＮＴ−Ｉ−１５を単離した。ＮＴ−Ｉ−１５クローンの配列解析により、このクローンがマウスＳＤＦ−１β−ｃＤＮＡの３’非翻訳領域（ＵＴＲ）（Ｔａｓｈｉｒｏ ｅｔ ａｌ．， １９９３参照）と８６％の相同性を有することが示された。ストリンジェントな洗浄条件下でのノーザンブロット試験では、ＮＴ−Ｉ−１５は成体ラットの坐骨神経からの２つの転写産物とハイブリダイズした（図２）。小さい方の転写産物は約３Ｋｂの大きさのＳＤＦ−１βｍＲＮＡに相当し、５．５Ｋｂの大きい転写産物は未知であった。この転写産物をＳＤＦ−１γと呼んだ。
【００５７】
両転写産物の完全クローンの単離は、遺伝子バンクをスクリーニングすること、および逆転写ＰＣＲ（ＲＴ−ＰＣＲ）の方法によって行なった。ラットの坐骨神経に由来する遺伝子バンクの、ラットのＳＤＦ−１βの３’ＵＴＲ領域のヌクレオチド７３４〜１３６８に相当する、ＮＴ−Ｉ−１５クローンの６２６ヌクレオチド長のｃＤＮＡ断片を用いたスクリーニングにより、２８１９ヌクレオチドの長さを有する完全ｃＤＮＡクローンが回収され、これにはＳＤＦ−１βの全コード領域が含まれていた。
【００５８】
ＮＴ−Ｉ−１５の６２６ヌクレオチド長のｃＤＮＡ断片を用いたｃＤＮＡ遺伝子バンクの再度のスクリーニングにより、約３４００ヌクレオチドのＳＤＦ−１γ不完全クローンを回収し、これはＳＤＦ−１βの全３’ＵＴＲ領域および最後の４コドン（９０〜９３）だけでなく、コドン９０の上流に約１Ｋｂの長さの新しい（非コード）配列を含んでいた。次に、ノーザンブロットで同定された５．５Ｋｂの長さの転写産物が、ＳＤＦ−１βのコドン８９と９０の間の２．５Ｋｂ長の挿入物によって作出される、選択的にスプライシングされたイソ型を表すものと仮定した。この仮説を実証するため、ＳＤＦ−Ｇ６クローンの５’末端において新たな配列に特異的なアンチセンスプライマー（プライマーＧＡＳ２およびＧＡＳ３）およびＳＤＦ−１βの翻訳開始部位に相当するセンスプライマー（プライマーＭＮＳＥ２）を用いたＲＴ−ＰＣＲにより、新たな配列を作出した。増幅されたＰＣＲ断片の配列決定により、コドン８９から下流の転写産物がＳＤＦ−１β以外の配列を有することが示された。この転写産物は、１１９アミノ酸のペプチドをコードしており、その最初の８９アミノ酸はＳＤＦ−１αおよびβの最初の８９アミノ酸と同一であった。その後のノーザンブロット解析では、得られた配列が５．５Ｋｂ長の転写産物を示すことが確認された。ＳＤＦ−１βおよびγに共通の３’領域に由来する（図２Ａ）、またはコード領域の全５’領域のＳＤＦイソ型の総てに共通の５’領域に由来するｃＤＮＡプローブ（図２Ｂ）は３Ｋｂ長の（ＳＤＦ−１β）転写産物および５．５Ｋｂ長の（ＳＤＦ−１γ）転写産物の双方とハイブリダイズしたが、２．５Ｋｂ長の挿入物に特異的なｃＤＮＡプローブは５．５ＫｂのＳＤＦ−１γ転写産物のみとしかハイブリダイズしなかった（図２Ｃ）。ラットの坐骨神経では、１．５Ｋｂ長のＳＤＦ−１α−ｍＲＮＡは検出することができなかった。
【００５９】
ラットのＳＤＦ−１βｃＤＮＡの両鎖を配列決定した。ＳＤＦ−１γについては、２５７２ヌクレオチド長の新たな挿入物および既知のＳＤＦ−１βを有する隣接領域を、同様に重ねて配列決定した。ＳＤＦ−１βに関して導き出されたアミノ酸は、理論分子量１０．５Ｋｄを有する９３アミノ酸のペプチドであった。最初の１９のアミノ酸はタンパク質分泌に関するシグナルペプチドである。ＳＤＦ−１βに関して導き出されたアミノ酸配列は、ＳＤＦ−１βの最初の８９のアミノ酸残基とＳＤＦ−１βとは相同性を示さないカルボキシ末端領域の３０の付加的アミノ酸を含む（図３と比較）。１１９アミノ酸長のＳＤＦ−１γペプチドの理論分子量は１３．５Ｋｄである。ラットのＳＤＦ−１βのアミノ酸配列は、対応するマウスタンパク質と強い相同性（９６．８％）を示す（保存的アミノ酸置換を考慮すると９８．９％）。新しいＳＤＦ−１イソ型であるＳＤＦ−１βおよびＳＤＦ−１γと既知のＳＤＦ−１配列の比較は図４に示されている。
【００６０】
実施例２：種々の組織および発達段階でのＳＤＦ−１βおよびＳＤＦ−１γｍＲＮＡの検出
Ａ．ノーザンブロット解析
各１０μｇの全ＲＮＡを、１５％ホルムアルデヒドを含有する１．２％アガロースゲルにて分画し、次に、Ｎｙｔｒａｎ  ＮＹ１３  Ｎ−メンブラン（Ｓｃｈｌｅｉｃｈｅｒ ａｎｄ Ｓｃｈｕｌｌ， Ｋｅｅｎｅ， ＮＨ）へ常法により転写した。これらのフィルターにＵＶ照射し、メチレンブルーで染色し（Ｓａｍｂｒｏｏｋ ｅｔ ａｌ．， １９８９）、０．５Ｍリン酸ナトリウム溶液中７％ＳＤＳとプレハイブリダイズさせ、同じ溶液中で３２Ｐ標識ｃＤＮＡプローブ１〜５×１０６ｃｐｍ／ｍｌとハイブリダイズさせた。（ｉ）ＳＤＦ−１β／γの全３’ＵＴＲ領域（ＳＤＦ−１βのヌクレオチド７４３〜１３６８）、（ｉｉ）ＳＤＦ−１イソ型の総てをコードする全領域（ヌクレオチド４９〜２３９）および（ｉｉｉ）ＳＤＦ−１γ特異的挿入物の１７０２ヌクレオチド長セグメント（ＳＤＦ−１γｃＤＮＡのヌクレオチド６２５〜２３５７）に相当するｃＤＮＡ断片を一方向ＰＣＲにより放射性標識した（Ｓｔｕｒｚｌ ｅｔ ａｌ．， １９９１）。ハイブリダイゼーション後、これらのフィルターを２×ＳＳＣ／１％ＳＤＳ中６０℃で少なくとも１５分間、さらに０．１×ＳＳＣ／１％ＳＤＳ中６０℃で少なくとも１５分間洗浄した。これらのフィルターをＸ線フィルム（Ｘ−Ｏｍａｔ， Ｋｏｄａｋ） に露光するか、あるいはＢＡＳ１０５０バイオイメ−ジャー（Ｆｕｊｉ）で直接定量した。
【００６１】
Ｂ．種々の組織でのＳＤＦ−１βおよびＳＤＦ−１γｍＲＮＡの検出
図５Ａに示されるノーザンブロットハイブリダイゼーション試験を、３２Ｐ−ｄＣＴＰで放射性標識した、成体ラットの種々の組織に由来する全ＲＮＡおよびＳＤＦ−１β／γの全３’ＵＴＲ領域由来の６０２ヌクレオチド長の断片を用いて行った。ＳＤＦ−１βおよびＳＤＦ−１γｍＲＮＡの種々の組織間の分布は相補的パターンを示した。βイソ型は主として肝臓、腎臓、脾臓および胸腺で検出されたが、ＳＤＦ−１γは主として心臓および肺の組織、ならびに神経系の成熟組織に見られた（図５）。ＳＤＦ−１β転写産物が主としてとりわけ胚および新生の脳組織ならびに坐骨神経点に見られるということは、神経系の発達中のＳＤＦ−１発現の示差的調節を示している。ＳＤＦ−１βもＳＤＦ−１γも筋肉および精巣組織では検出できない。
【００６２】
Ｃ．発達過程における脳および坐骨神経でのＳＤＦ−１βおよびＳＤＦ−１γｍＲＮＡの検出
脳：
ＳＤＦ−１βおよびＳＤＦ−１γの発達段階に特異的な分布の検討のために、ラットの種々の発達段階（１７日胚（Ｅ１７）から成体ラットまで）における脳組織由来のＲＮＡを、ＳＤＦ−１β／γの共通３’ＵＴＲ領域の６０２ヌクレオチド長断片を用いて試験した。Ｅ１７胚の脳組織では、主としてＳＤＦ−１βｍＲＮＡが検出されたが、この転写産物量は齢が増すとともに少なくなり、成体ラットの脳組織では検出できなかった。これに対し、ＳＤＦ−１γ転写産物の量はＥ１７胚では極めて低く、徐々に増え、成体ラットでは最大に達した（図５Ｂ）。
【００６３】
坐骨神経：
種々の発達段階（出生後１日（Ｐ１）から完全成長の齢に達するまで）のラットの坐骨神経から全ＲＮＡを単離した。Ｐ１では、ＳＤＦ−１βｍＲＮＡが少量検出され、この転写産物量はＰ４〜Ｐ７段階において上昇し、成体ラットの神経組織では検出限界以下に低下した（図５Ｃ）。
【００６４】
このようにＳＤＦ−１βおよびＳＤＦ−１γｍＲＮＡは、発達中および成体ラットの神経系で異なるパターンを示すようである。ＳＤＦ−１βイソ型は主として胚または周産期の中枢および末梢神経系に見られるが、ＳＤＦ−１γは成体ラットの神経系で最も重要な変異体である（図５Ｂ、Ｃ）。出生後４日から７日の間はグリア細胞の分化およびニューロンの成熟が始まるが、この期間では、ＳＤＦ−１βとＳＤＦ−１γはほぼ同等の量であるようである。
【００６５】
Ｄ．坐骨神経の病変後のＳＤＦ−１βとＳＤＦ−１γｍＲＮＡの検出
圧迫によって坐骨神経を損傷させた後、神経遠位端でＳＤＦ−１βとＳＤＦ−１γとのｍＲＮＡパターンの小さな変化を観察した。放射性ノーザンブロットフィルターの「多重定量的イメージング」により、ＳＤＦ−１β量の一時的上昇を測定したところ、神経圧迫後２日で最大１７５％に達し、その後、圧迫後７日までにレベルが下がり、対照と同レベルになった。試験によれば、神経病変後のＳＤＦ−１γｍＲＮＡには有意な変化は見られなかった。
【００６６】
実施例３：ｉｎ ｓｉｔｕハイブリダイゼーションによるＳＤＦ−１γ転写産物の細胞局在
Ａ．ｉｎ ｓｉｔｕハイブリダイゼーション
組織標本をＴｉｓｓｕｅ Ｔｅｃ ＩＩ （Ｍｉｌｅｓ， Ｎａｐｐｅｒｖｉｌｌｅ， ＩＬ）に包埋し、メチルブタン中で−７０℃にて凍結させ、厚さ２０μｍの切片とした。これらの切片を固定した後、アセチル化し、Ａｎｇｅｒｅｒ ｅｔ ａｌ． （１９８７）に従って５５℃で４時間プレハイブリダイズさせた。（ｉ）ＳＤＦ−１β／γの全３’ＵＴＲ領域のサブクローン（ＳＤＦ−１βのヌクレオチド１７５８〜２１９９）、（ｉｉ）全５’ＵＴＲおよびコード領域の、ＳＤＦ−１全イソ型総てのサブクローン（ＳＤＦ−１βｃＤＮＡのヌクレオチド１〜５９６）、および（ｉｉｉ）ＳＤＦ−１γ特異的挿入物のサブクローン（ＳＤＦ−１γｃＤＮＡのヌクレオチド６６１〜１３１３）のｉｎ ｖｉｔｒｏ転写産物を、ジゴキシゲニンＵＴＰを用いて、Ｂｏｅｈｒｉｎｇｅｒ ＭａｎｎｈｅｉｍのＤＩＧ−ＲＮＡ標識キットにより作製した。５５℃で一晩ハイブリダイズさせた後、ＲＮアーゼ処理（０．６Ｍ  ＮａＣｌ、２０ｍＭトリスＨＣｌ、２ｍＭ  ＥＤＴＡ、ｐＨ８中２０μｇ／ｍｌ）を３７℃にて２０分間行った。次に、これらの切片に対し、２×ＳＳＣを用いた各回５０℃での２０分間の洗浄を３回、および０．２×ＳＳＣを用いた各回５０℃での２０分間の洗浄を３回行なった。ジゴキシゲニンの検出は、製造業者（Ｂｏｅｈｒｉｎｇｅｒ Ｍａｎｎｈｅｉｍ）の説明書に従って行った。
【００６７】
Ｂ．ＳＤＦ−１γ転写産物の細胞局在
ｉｎ ｓｉｔｕハイブリダイゼーションのために、（ａ）ＳＤＦ−１β／γの共通３’ＵＴＲ領域、（ｂ）ＳＤＦ−１イソ型の総てに共通のコードおよび５’ＵＴＲ領域および（ｃ）ＳＤＦ−１γ特異的挿入物からのアンチセンス転写産物をジゴキシゲニン−ＵＴＰで標識した。センス転写産物を陰性対照として用いた。
【００６８】
成体ラットのＣＮＳでは、有随神経相でも、例えば脳梁でも、大脳灰白質を有する領域で乏突起神経膠細胞の「パールネックレス」様の列として、強く、そして明瞭なハイブリダイゼーションシグナルが見られた（図５Ａ、Ｂ）。他のハイブリダイゼーションシグナルは、特に、小脳のプルキニエおよび顆粒ニューロン（図６Ｄ、Ｅ）、海馬の錐体および顆粒ニューロン（図６Ｇ、Ｈ）、ならびに新皮質の総ての主要層のニューロン（図７Ａ、Ｂ）に関連して見られた。対応するセンス転写産物では、ハイブリダイゼーションシグナルは見られなかった（ＳＤＦ−１γのセンスプローブについては図６Ｃ、Ｆ、Ｉを参照）。
【００６９】
ＳＤＦ−γ特異的アンチセンス転写産物で得られたシグナルは、全ＳＤＦ−１アンチセンスプローブで得られたハイブリダイゼーションパターンと殆ど同一であったが、このことはＳＤＦ−１γイソ型が成体ラットの脳のニューロンおよび乏突起神経膠細胞で発現することを示す。ＳＤＦ−１β転写産物は、成体ラットの脳に存在する限りにおいて、ＳＤＦ−１γと同じ領域および細胞集団に存在するようである。
【００７０】
成体ラットの坐骨神経の縦方向の切片では、ＳＤＦ−１β／γの全３’領域からのアンチセンスプローブにより、軸索相近傍のシュワン細胞の典型的な形を示唆する紡錘形ハイブリダイゼーションシグナルが生じた（図８Ａ、Ｂ）。坐骨神経の横方向切片のＳ−１００免疫活性とハイブリダイゼーションシグナルとの局在の一致（矢印参照）により、シュワン細胞におけるＳＤＦ−１β／γの発現が確認された（図８Ｄ、Ｅ）。ＳＤＦ−１γ特異的アンチセンスプローブを用いて成体ラットの坐骨神経の標識パターンを得ると（図８Ｈ）、これはＳＤＦイソ型の総てに共通のアンチセンス転写産物のハイブリダイゼーションパターン（図８Ｇ）を強く示唆した。ＳＤＦ−１γＲＮＡ（およびおそらくはＳＤＦ−１βイソ型も）は、坐骨神経のシュワン細胞でも（矢印参照）液胞細胞でも（図８Ｇ、Ｈの右上の隅参照）生じる。ｉｎ ｓｉｔｕハイブリダイゼーション試験の結果は図２および図３のノーザンブロット試験の結果と一致する。ＳＤＦ−１αｍＲＮＡは、成体ラットの脳または坐骨神経のいずれにおいても、ＳＤＦ−１α特異的３’領域由来のアンチセンス／センス転写産物によって検出されなかった。
【００７１】
実施例４：ハンセニューラ・ポリモルファにおけるＳＤＦ−１γ産物の発現
Ａ．ｈＳＤＦ−１γ構築物
ハンセニューラ・ポリモルファにおけるＳＤＦ−１γの発現のため、Ｈｉｓタグに対する良好な分析的近似を得ることを目的として、３つの異なる構築物を作製した。これらの構築物は図１３に示されている。
【００７２】
１．Ｍ−ｍｈＳＤＦ−１γ−Ｈ６（メチオニン／成熟ヒトＳＤＦ−１γ／Ｈｉｓタグ）。この融合タンパク質では、成熟ヒトＳＤＦ−１γの配列（配列番号１２のアミノ酸２０〜１１９）がＮ末端メチオニン残基の端部に配置されている。リーダー配列は存在しないので、細胞質局在が予測された。Ｃ末端には６個のヒスチジン残基（Ｈｉｓタグ）が配置されている。
【００７３】
２．ｈＳＤＦ−１γ−Ｈ６（成熟ヒトＳＤＦ−１γ／Ｈｉｓタグ）。この構築物は、ＳＤＦ−１γのアミノ酸１〜１１９（配列番号１２）の後にＣ末端Ｈｉｓタグを含む。これは結果としてヒト細胞で公知の天然リーダー配列を含んでなる。リーダー配列は異種宿主細胞でも認識されることがあるので、Ｈ．ポリモルファが原型のＳＤＦ−１γリーダーペプチドを認識するかどうかはこの構築物で調べられる。
【００７４】
３．ＭＦα−ｍｈＳＤＦ−１γ−Ｈ６（サッカロミセス・セレビシエ由来接合因子αのプレプロ配列／成熟ヒトＳＤＦ−１γ／Ｈｉｓタグ）。Ｈ．ポリモルファで用いられることの多い、関連の醸造酵母サッカロミセス・セレビシエ由来の接合因子αのプレプロ配列の端部に、成熟ＳＤＦ−１γの配列（配列番号１２のアミノ酸２０〜１１９）を配置した。この構築物は、Ｈ．ポリモルファによる分泌に適している。
【００７５】
Ｂ．発現プラスミドの構築
プラスミドＳＤＦ−１γ−ＰＣＲＩＩ−ＴＯＰＯは４３９ｂｐ長のＳＤＦ−１γ挿入物を含んでおり（図１４）、基本構築物として用いた。第一のステップでは、Ｃ末端Ｈｉｓタグの６個のコドンをｈＳＤＦ−１γ配列に包含させた（ｈＳＤＦ−１γ−Ｈ６、図１５）。
【００７６】
Ｈ．ポリモルファにおけるＳＤＦ−１γ構築物の後の発現のための基本ベクターとして、発現される外来遺伝子がＦＭＤプロモーターの制御下にある組込型プラスミドｐＦＰＭＴ１２１（Ｇｅｌｌｉｓｓｅｎ， ２０００）を挿入した。このプラスミドを基に、以下の発現ベクターを構築した。
【００７７】
１．ｐＦＰＭＴ−Ｍ−ｍｈＳＤＦ−１γ−Ｈ６。ＰＣＲにより、ＳＤＦ−１γのコード配列がＥｃｏＲＩ制限切断部位（開始コドンの前）およびＢａｍＩＩ制限切断部位によって挟まれたＤＮＡ断片を作製した。ＰＣＲＩＩ−ＴＯＰＯ（Ｉｎｖｉｔｒｏｇｅｎ， Ｇｒｏｎｉｎｇｅｎ， ＮＬ）中のｈＳＤＦ−１γ−Ｈ６を鋳型として用いた。このＰＣＲ産物をＥｃｏＲＩ／ＢａｍＨＩで消化し、ｐＦＰＭ１２１プラスミドの対応する部位の間にクローニングした。得られたプラスミドｐＦＰＭＴ−Ｍ−ｈＳＤＦ−１γ−Ｈ６の地図は図１６に示されている。
【００７８】
２．ｐＦＰＭＴ−ｈＳＤＦ−１γ−Ｈ６。この構築物でも、ＥｃｏＲＩ制限部位およびＢａｍＨＩ制限部位で挟まれたＰＣＲ産物をまず構築したが、その際、ＰＣＲＩＩ−ＴＯＰＯ中のｈＳＤＦ−１γ−Ｈ６を再び鋳型ＤＮＡとして用いた。このＰＣＲ産物をＥｃｏＲＩおよびＢａｍＨＩで消化し、ｐＦＰＭ１２１プラスミドの対応する部位の間にクローニングした。得られたプラスミドｐＦＰＭＴ−ｈＳＤＦ−１γ−Ｈ６の地図は図１７に示されている。
【００７９】
３．ｐＦＰＭＴ−ＭＦα−ｍｈＳＤＦ−１γ−Ｈ６。このプラスミドの作製のため、２つの異なるＰＣＲ産物を構築した（図１８参照）。最初のＰＣＲ産物（ＰＣＲ１Ａ）は、ＥｃｏＲＩ制限部位（開始コドンの前）ともう一方の末端では成熟ｈＳＤＦ−１γ配列の最初のコドンと相同性を有する塩基に挟まれた接合因子αのプレプロ配列のコドンを含んでいた。もう一つのＰＣＲ断片（ＰＣＲ１Ｂ）は、最前部では接合因子αのプレプロ配列の最後部と相同性を有する塩基が隣接し、最後部ではＢａｍ−ＩＩ制限部位（停止コドンの末端）が隣接した成熟ｈＳＤＦ−１γの配列を含む。次に、上記のＰＣＲ１ＡおよびＰＣＲ１Ｂの両産物を混合してさらなるＰＣＲ反応を行った。プライマーとして、ＰＣＲ１Ａ由来のフォワードプライマー（ＥｃｏＲＩ制限部位を含む）とＰＣＲ１Ｂ由来のバックワードプライマー（ＢａｍＩＩ制限部位を含む）を用いた。得られたＰＣＲ産物は、ＥｃｏＲＩ（開始コドンの前）およびＢａｍＨＩ（停止コドンの後）で挟まれ、ｍｈＳＤＦ−１γの配列と融合した接合因子αのプレプロ配列を含んでいた。ＥｃｏＲＩ／ＢａｍＨＩで消化した後、その断片をｐＦＰＭＴ１２１プラスミドの対応する制限部位の間にクローニングした。得られたプラスミドｐＦＰＭＴ−ＭＦα−ｍｈＳＤＦ１γ−Ｈ６の地図は図１９に示されている。
【００８０】
Ｃ．作製した発現ベクターでのＨ．ポリモルファの形質転換
株の作出および同定
エレクトロポレーション用のコンピテントＨ．ポリモルファ細胞の作製のため、５ｍｌのＹＰＤ培地をＨ．ポリモルファＲＢ１１の単一コロニー（ｏｄｃ、オロチジン−５−リン酸−デカルボキシラーゼ欠損（ウラシル栄養要求性）Ｈ．ポリモルファ株（Ｗｅｙｄｅｍａｎｎ ｅｔ ａｌ．， １９９５））とともにインキュベートし、３７℃で１６時間振盪した。次に、２Ｌ容エルレンメイヤーフラスコにて１００ｍｌのＹＰＤ培地にこの前培養物３ｍｌを接種し、３７℃にてＯＤ５００が０．８〜１となるまでインキュベートした（振盪数１４０ｒｐｍ）。細胞の回収は、ベックマン遠心分離機にて５０ｍｌファルコンチューブで培養物を遠心分離（４０００ｒｐｍ、６分）ことにより行った。上清を除去した後、細胞を２０ｍｌの５０ｍＭリン酸カリウムバッファー（ｐＨ７．５、予め３７℃に温めたもの）に再懸濁し、０．５ｍｌの１Ｍ  ＤＴＴと混合し、３５℃で１５分間インキュベートした（水浴中）。
【００８１】
この細胞を再び遠心沈降させた後（３０００ｒｐｍ、１０分、ベックマン遠心分離機）、１００ｍｌ、次いで５０ｍｌのＳＴＭバッファー（２７０ｍＭサッカロース、１０ｍＭトリス−ＨＣｌ  ｐＨ７．５、１ｍＭ  ＭｇＣｌ２）中で洗浄した。さらに遠心分離した後、細胞を０．５ｍｌのＳＴＭバッファーに再懸濁し、そのまま６０μｌアリコートを形質転換に用いるか、−７０℃でその後使用するまで冷凍保存した。
【００８２】
Ｈ．ポリモルファのコンピテント細胞を、以下のように、構築した（上記）３種の発現プラスミドで形質転換した：コンピテントＨ．ポリモルファ６０μｌと１〜２μｌの導入用環状プラスミドＤＮＡを混合し、２ｍｍ幅のエレクトロポレーションキュベットに移した。エレクトロポレーションは２ｋＶ、２５μＦおよび２００オームで行った。次に、細胞を１ｍｌのＹＰＤ培地が入った試験管に移し、３７℃にて１時間振盪した（傾斜角４５°、１６０ｒｐｍ）。この回収の後、細胞各３３０μｌをＹＮＢ寒天プレート（１％グルコース、ウラシルを含まない）にプレーティングした。これらのプレートを、３７℃で、肉眼でウラシル原栄養体コロニーが見えるようになるまでインキュベートした（約１週間）。
【００８３】
この際、３６個の各ウラシル原栄養体コロニーを４回の継代と２回の安定化によって安定株とした。継代培養では、各２ｍｌのＹＮＢ培地（１％グルコース）に形質転換プレートに由来する単一のウラシル原栄養体コロニーを接種し、３７℃で２日間インキュベートした（傾斜角４５°、振盪数１６０ｒｐｍ）。得られた培養物各１５０μｌを２ｍｌの新鮮ＹＮＢ培地に移し、再び２日間インキュベートした（上記参照）。この操作を４回行った（すなわち、４回継代培養）。安定化のため、最新の継代培養物からの培養物各１５０μｇを２ｍｌのＹＰＤ培地に移し、３７℃で２日間インキュベートした（上記参照）。次に、これらの培養物のアリコートをＹＮＢ寒天プレート（ウラシルを含まない）にプレーティングした。培養ごとに一コロニーを単離し、これを一株とした。
【００８４】
Ｄ．ＳＤＦ−１γ産物の発現の誘導および検出
単離後、総ての株に対してＭｅＯＨ誘導を行い、可溶性細胞内画分を、ｈＳＤＦ−１γ産物の含量に関して、ウエスタンブロット法によって解析した。まず、１０ｍｌ容試験管にて各２ｍｌのＹＰＤ培地に試験する単一コロニー株を接種した後、外来遺伝子の発現を誘導するため、３７℃にて１６時間インキュベートした（傾斜角４５°、振盪数１６０ｒｐｍ）。次に、得られた濃厚な増殖培養物１５０μｌを接種物として各々３ｍｌのＹＮＢ培地（１％グリセリン）にプレーティングした。３７℃で２４時間振盪した後、細胞を遠心沈降させ、各々３ｍｌのＹＮＢ培地（１％ＭｅＯＨ）中に再懸濁した。次に、再び３７℃にて２４時間振盪することにより、外来遺伝子の発現を誘導した。
【００８５】
誘導培養物に由来する細胞を遠心分離した後、上清のアリコートを４×ＳＡＢ（８％ｗ／ｖＳＤＳ、４０％ｗ／ｖグリセリン、８ｍＭ  ＥＤＴＡ  ｐＨ６．８、２５０ｍＭトリス  ｐＨ６．８、０．４％ｗ／ｖブロムフェノールブルー、４０％ｖ／ｖα−メルカプトエタノール）と混合し、９５℃で５分間変性させて培養上清を調製した。
【００８６】
細胞内可溶性画分の調製のため、以下のステップを氷上または４℃で行った。誘導培養物由来の細胞ペレットを各々５００μｌの抽出バッファー（５０ｍＭトリス  ｐＨ７．５、１５０ｍＭ  ＮａＣｌ、０．１％ｖ／ｖトリトンＸ１００またはＰＢＳバッファー）に再懸濁し、各々１２．５μｌのＰＭＳＦと混合した。次に、これらの試料を、１．５ｍｌ容エッペンドルフ管に移した。５００μｌのガラスビーズを加えた後、Ｖｉｂｒａｘを用いて２５００ｒｐｍにて細胞破砕を行った。この上清を新しいエッペンドルフ管に移し、１０，０００ｒｐｍにて１０分間遠心分離した（冷却機能を備えたエッペンドルフ遠心機）。この遠心分離上清はいわゆる可溶性細胞内画分と呼ばれる。直接タンパク質ゲル電気泳動のため、これらを１／４量の４×ＳＡＢと混合し、９５℃で５分間変性させるか、後に使用するまでＳＡＢを加えずに−２０℃で冷凍保存した。
【００８７】
ＰＮＧアーゼＦ消化のため、各８μｌの無処理の細胞内可溶性画分を１μｌの１％ＳＤＳと混合し、９５℃にて５分間インキュベートした。次に、１μｌのＰＮＧアーゼＦ（２ｕ、Ｒｏｃｈｅ）または水を加えた。３７℃で１６時間インキュベートした後、４μｌの４×ＳＡＢを加え、試料を９５℃で５分間変性させ、タンパク質ゲル上で分離した。
【００８８】
タンパク質ゲル電気泳動による変性試料の分離は、説明書の記載に従って４〜２０％トリシン−ＳＤＳゲル（Ｎｏｖｅｘ）にて行った。次に、これらのタンパク質バンドを、説明書の記載に従ってＳｅｍｉ−Ｄｒｙ−Ｂｌｏｔ装置（Ｔｒａｎｓ−Ｂｌｏｔ ＳＤ； Ｂｉｏｒａｄ）にてニトロセルロースメンブランに転写した。ウエスタンブロットのため、マウス由来のＨｉｓタグ特異的モノクローナル抗体（ＲＧＳ−Ｈｉｓ−Ａｎｔｉｋｏｒｐｅｒ， Ｑｉａｇｅｎ， Ｈｉｌｄｅｎ， ＢＲＤ）またはヤギ由来ＳＤＦ−１特異的ポリクローナル血清（ＳＤＦ−１（Ｃ１９）；＃ｓｃ６１９３；Ｓａｎｔａ Ｃｒｕｚ Ｂｉｏｔｅｃｈｎｏｌｏｇｙ， ＵＳＡ）を一次抗体（血清）として用いた。ウエスタンブロットは、製造業者の説明書に従い、ウエスタン・ブリーズ・キットマウスまたはヤギ（Ｎｏｖｅｘ）を用いて行った。
【００８９】
このように、有意な量の特定のｈＳＤＦ−１γ−Ｈ６誘導体を産生した株を、３種の構築物の各々に関して同定することができた。各場合でさらなる産物の解析のため、最も生産性の高い株を選択した。ｐＦＰＭＴ−Ｍ−ｍｈＳＤＦ−１γ−Ｈ６ではｇ７−５／３６株が、ｐＦＭＰＴ−ｈＳＤＦ−１γ−Ｈ６およびｐＦＭＰＴ−ＭＦα−ｍｈＳＤＦ−１γ−Ｈ６ではｇ８−２８／７株およびｇ９ｃ−２０／６株がそれぞれ選択された。
【００９０】
Ｅ．産物の解析
ｇ７−５／３６株、ｇ８−２８／７株およびｇ９ｃ−２０／６株の培養上清では、ウエスタンブロットによって分泌ＳＤＦ−１γ産物は検出できなかった。これらの株の細胞内可溶性画分では、ＳＤＦ−１γ産物はマウス由来のＨｉｓタグ特異的抗体でも、ヤギ由来のＳＤＦ−１γ特異的血清（ＳＤＦ−１（Ｃ１９）；＃ｓｃ６１９３；Ｓａｎｔａ Ｃｒｕｚ Ｂｉｏｔｅｃｈｎｏｌｏｇｙ， ＵＳＡ）でも同定することができた（図２０Ａ、Ｂ参照）。対照株（ＳＤＦ−１γを含まない）の細胞内可溶性画分は、ＳＤＦ−１γ産物と同定される産物を示さなかった（図２０、トラック８（Ａ）、トラック１（Ｂ））。
【００９１】
ウエスタンブロットで認められた主要なＳＤＦ−１γ産物の分子量は、一般に、理論分子量よりもいく分か高い。Ｍ−ｍｈＳＤＦ−１γ−Ｈ６：理論値１２，６９２ｋＤａ、測定値約１６ｋＤａ（図２０、トラック２および３（Ａ）；トラック３および４（Ｂ））；ｈＳＤＦ−１γ−Ｈ６：理論値１４，５２９ｋＤａ、測定値約１７ｋＤａ（図２０、トラック４および５（Ａ）、トラック５および６（Ｂ））；ＭＦα−ｍｈＳＤＦ−１γ−Ｈ６：理論値２１，４６８ｋＤａ、測定値約３０ｋＤａ（図２０、トラック６および７（Ａ）、トラック７および８（Ｂ））。主要バンドは、Ｈｉｓタグ特異的抗体でも、ＳＤＦ−１特異的血清でも検出可能であることから、これらのバンドに属するタンパク質はＣ末端に組み込まれているはずである。さらに、種々の産物の見掛けの分子量は、推定される相対順序Ｍ−ｍｈＳＤＦ−１γ−Ｈ６＜ｈＳＤＦ−１γ−Ｈ６＜ＭＦα−ｍｈＳＤＦ−１γ−Ｈ６（図２０）を示す。
【００９２】
Ｍ−ｍｈＳＤＦ−１γ−Ｈ６およびｈＳＤＦ−１γ−Ｈ６のアミノ酸配列は、潜在的なＮ−グリコシル化部位を含まない。従って、ＰＮＧアーゼＦ消化は特定の主要産物バンドの見掛けの分子量に影響を及ぼさない（図２０、トラック２／３および４／５（Ａ）、トラック３／４および５／６（Ｂ））。ＭＦα−ｍｈＳＤＦ−１γ−Ｈ６はＭＦαプレプロ配列の領域に３つのグリコシル化部位を持ち、これは典型的にはＥＲ＊においてＮ−グリコシル化をもたらす。ＰＮＧアーゼＦ消化の後、見掛けの分子量３０ｋＤａの産物が誘導されないことは、この産物において関連するものはＥＲに組み込まれていないプレプロ産物であることを示す（図２０、トラック６／７（Ａ）、トラック７／８（Ｂ））。３０ｋＤａより上に、３つの弱いＰＮＧアーゼＦ感受性バンドが存在するが（トラック７（Ｂ））、これはＮ−脱グリコシル化の後に３０ｋＤａより下へ移動する（トラック８（Ｂ））。これらのバンドはプロ配列におけるＭＦα−ｍｈＳＤＦ−１γ−Ｈ６のＮ−グリコシル化プロ型として説明することができ、ＥＲに入る際には、これからプレ配列が切断される。
【００９３】
実施例５：神経細胞およびグリア細胞のカルシウム濃度に対する組換えヒトＳＤＦ−１γの作用
この実施例では、神経細胞およびグリア細胞中のカルシウム濃度に対する、ハンセニューラ・ポリモルファの細胞抽出液中の組換えヒトＳＤＦ−１γ（Ｍ−ｍｈＳＤＦ−１γ−Ｈ６）の効果を調べる。カルシウム濃度の評価のため、カルシウムイメージング法を用いた（Ｋｏｌｌｅｒ ｅｔ ａｌ．， ２００１参照）。
【００９４】
カルシウムイメージング実験のため、ラット（ウィスター系）の一次星状細胞および一次皮質ニューロンを、新生ラット（生後０〜１日；星状細胞）から、あるいはラット胚（１５日目の胚；皮質ニューロン）から調製し、Ｋｏｌｌｅｒ ｅｔ ａｌ． （２００１）に記載のようにして培養した。培養５〜１５日後、ｉｎ ｖｉｔｒｏにて細胞にカルシウム指示薬Ｆｕｒａ−２を１時間かけて充填した。細胞内のＦｕｒａ−２は、遊離のカルシウムと反応して、Ｆｕｒａ−２（３８０ｎｍ）とは異なる吸収波長（３４０ｎｍ）を有するＦｕｒａ−カルシウムを形成する。吸光度（Ｆ３４０／Ｆ３８０）により相対的細胞内カルシウム濃度を求め、グラフで表すことができる。この方法により、細胞外刺激（例えば、リガンド／受容体相互作用）によって誘起される細胞内カルシウム濃度の変化を検出することができる。
【００９５】
図２１はカルシウムイメージング実験の結果を示しており、星状細胞におけるカルシウム濃度に対するＳＤＦ−１αおよびＳＤＦ−１γの作用が比較されている。ＳＤＦ−１α（５０ｎＭ、Ｒ＆Ｄ Ｓｙｓｔｅｍｓ， Ｗｉｅｓｂａｄｅｎ， ＢＤＲ）の適用後、培養星状細胞のカルシウム濃度は上昇する（図２１Ａ）。組換えＳＤＦ−１γを含む酵母細胞抽出液の適用後（Ｍ−ｍｈＳＤＦ−１γ−Ｈ６）（全タンパク質３６ｐｇ）、培養星状細胞では細胞内カルシウムが上昇する（図２１Ｂ）。しかし、この応答は、ＳＤＦ−１αに対する応答よりもさらに若干制限されている。
【００９６】
対照抽出液の適用後（挿入部を含まないｐＦＰＭＴ１２１プラスミドで形質転換されたＨ．ハンセニューラＲＢ１１細胞の細胞抽出液に由来するタンパク質２２．４μｇ）、培養星状細胞の細胞内カルシウムの上昇は見られない（図２１Ｃ）。
【００９７】
図２１Ｄは、ＳＤＦ−１γおよび対照抽出液を用いた細胞内カルシウムにおける上昇の、ＳＤＦ−１αによって誘起されるカルシウム上昇との比較における定量評価を示している。
【００９８】
さらに、ＣＸＣＲ４特異的抗体（モノクローナル抗体１２Ｇ５；Ｒ＆Ｄ Ｓｙｓｔｅｍｓ， Ｗｉｅｓｂａｄｅｎ， ＢＲＤ）による細胞のプレインキュベーションが上記のカルシウム応答を低下させ得るかどうかを、従前にＳＤＦ−１αにより誘導されたカルシウム反応に関して観察されたようにして（カルシウムイメージング実験の詳細な方法論についてはＫｏｌｌｅｒ ｅｔ ａｌ．， ２００１を参照）試験した。
【００９９】
図２２は、ＣＸＣＲ４に対する抗体を含まない（Ａ）および含む（Ｂ）ＳＤＦ−１αに関する星状細胞におけるカルシウムイメージング実験の結果を示している。図２３は、ＳＤＦ−１γに関する対応する実験の結果を示している。ＳＤＦ−１αの適用後（５０ｎＭ、Ｒ＆Ｄ Ｓｙｓｔｅｍｓ， Ｗｉｅｓｂａｄｅｎ， ＢＲＤ）、培養星状細胞の細胞内カルシウム濃度は急激に上昇する（図２２Ａ）。しかし、モノクローナル抗体１２Ｇ５と５分間プレインキュベートした後にＳＤＦ−１αを加えると、培養星状細胞は約５０％低下した細胞内カルシウム流出を示す（図２２Ｂ）。これらの結果は文献における知見と一致するものであり、中枢神経系由来の星状細胞の細胞内カルシウム濃度に対するＳＤＦ−１αまたは−１γの影響がＣＸＣＲ４受容体により媒介されていることを実証するものである。
【０１００】
組換えＳＤＦ−１γ（Ｍ−ｍｈＳＤＦ−１γ−Ｈ６；ＰＢＳバッファー中の細胞内容物）を含む３５μｇの酵母抽出液を適用した後、培養星状細胞では測定可能なカルシウム上昇がもたらされる（図２３Ａ）。ＳＤＦ−１αの場合とは違って、ＣＸＣＲ４受容体に対するモノクローナル抗体１２Ｇ５とともに５分間プレインキュベートした培養星状細胞に対するＳＤＦ−１γの適用は、急激に上昇する有意な細胞内カルシウム排出をもたらす（図２３Ｂ）。
【０１０１】
ＣＸＣＲ４抗体とともにプレインキュベートした後、ラット脳由来の皮質ニューロンの細胞培養物も、ＳＤＦ−１γに対する反応と同様に、カルシウム濃度のさらなる上昇を示す。図２４は、皮質ニューロンにおける対応するカルシウムイメージング実験の結果を示している。組換えＳＤＦ−１γ（Ｍ−ｍｈＳＤＦ−１γ−Ｈ６）を含む酵母抽出液３５μｇおよび１２５μｇ（全タンパク質）を適用したいずれの場合にも、一次皮質ニューロン培養物におけるカルシウム濃度に有意な上昇がもたらされる（図２４Ａ）。モノクローナル抗体１２Ｇ５（ＣＸＣＲ４に対する抗体）とともに５分間プレインキュベートした後、ＳＤＦ−１γを添加すると、一次皮質ニューロン培養物における急激に上昇する細胞内カルシウム排出がもたらされる（図２４Ｂ）。
【０１０２】
上記の結果は、中枢神経系由来のニューロンおよび星状細胞のＳＤＦ−１αおよび／またはＳＤＦ−１βに対する細胞の生理学的反応が、新たなケモカインＳＤＦ−１γに対する反応とは明らかに異なることを実証するものである。
【０１０３】
実施例６：星状細胞における細胞内カルシウム濃度に対する、ＳＤＦ−１γおよびそれに合成により製造されたペプチド分解産物に由来するＣ末端基本ペプチドの作用
まず、ＳＤＦ−１γのＣ末端領域における少なくとも３０のアミノ酸に相当するアミノ酸配列を有する塩基性ペプチドの添加が、星状細胞のカルシウム濃度にどのように影響するかを調べた。
【０１０４】
図２５は、星状細胞におけるＳＤＦ−１γのＣ末端塩基性ペプチドを用いたカルシウムイメージング実験の結果を示している。ＳＤＦ−１γのＣ末端の３０アミノ酸を示す合成ペプチド１μｇ／ｍｌの適用は、培養星状細胞の細胞内カルシウム濃度に弱い影響しか与えない（図２５Ａ）。これらの星状細胞をモノクローナル抗体１２Ｇ５（ＣＸＣＲ４に対する抗体）とともに予め５分間インキュベートしたところ、同じＣ末端ペプチドの適用により、一次星状細胞において急激に上昇する細胞内カルシウム排出が生じる（図２５Ｂ）。
【０１０５】
ペプチドＲＲＥＥＫＶＧ（ペプチド１、配列番号５）、ＫＫＥＫＩＧ（ペプチド２、配列番号６）、ＫＫＫＲＱ（ペプチド３、配列番号８）、ＫＫＲＫＡＡＱ（ペプチド４、配列番号９）およびＫＫＫＮ（ペプチド５、配列番号１０）、ならびにアミド化ペプチド１’（ＲＲＥＥＫＶ（ＮＨ２））および２’（ＫＫＥＫＩ（ＮＨ２））を用いたカルシウムイメージング実験では、非アミド化ペプチド１、２および３、ならびにアミド化ペプチド１’および２’の添加が、星状細胞における細胞内カルシウム濃度の上昇をもたらすことが確認された。図２６では、１ｍｇ／ｍｌのペプチド２（ＫＫＥＫＩＧ、配列番号６）（図２６Ａ）またはペプチド３（ＫＫＫＲＱ、配列番号８）（図２６Ｂ）の添加が培養一次星状細胞における細胞内カルシウム濃度の有意な上昇をもたらすことが示されている。他方、ペプチド４および５は星状細胞のカルシウム濃度には上昇をもたらさない。
【０１０６】
これらの結果は、推定神経ペプチドが種々の方法で細胞内カルシウム濃度を調整し得ることを示す。いずれの場合にも、それらは、抗ＣＸＣＲ４抗体による細胞のプレインキュベーション後の、ＳＤＦ−１γによる細胞内カルシウム濃度の劇的なアップレギュレーションは、ＳＤＦ−１αおよび／またはＳＤＦ−１βケモカインと一致する分子セグメントではなく、ＳＤＦ−１γのＣ末端領域によって引き起こされることを示唆している。この知見により、ＳＤＦ−１γのＣ末端の特殊かつ特異的な機能が確認され、完全なＳＤＦ−１γ分子を用いた場合に得られた結果が裏付けられる。
【０１０７】
参照文献
【表１】
2004521607.tif 000005
2004521607.tif 000006
2004521607.tif 000007
【図面の簡単な説明】
【図１】
図１は、ラット由来のＳＤＦ−１β−およびＳＤＦ−１−γ−ｃＤＮＡのクローニングのための、ＲＴ−ＰＣＲを用いた方法を示す。５’および３’ＵＴＲ  領域を直線で示し、コード領域を小さな四角で示している。小さな矢印はプライマーの位置と方向を示す。同一または相同な配列は同じ図形で表されている。ＳＤＦ−１βのコード領域の最後の４つのコドンは小さな黒四角で表されている。破線はＳＤＦ−１γの２５７２ヌクレオチドの挿入物を示す。ＳＤＦ−１γの３０個のカルボキシ末端コドンは、斜線を付した小さな四角で表されている。
【図２】
図２は、成体ラットの坐骨神経におけるＳＤＦ−１βおよびＳＤＦ−１γ転写産物を検出するための、ノーザンブロット試験の結果を示す。これらのフィルターを、（Ａ）ＳＤＦ−１βのヌクレオチド７４３〜１３６８に相当し、ＳＤＦ−１βおよびＳＤＦ−１γに共通の３’ＵＴＲ配列の一部である、６２６ヌクレオチド長のＮＴ−Ｉ−１５−ｃＤＮＡの放射性標識ＰＣＲ断片、（Ｂ）配列番号１６のヌクレオチド４９〜２３９に相当する、総てのＳＤＦ−１イソ型の共通コード領域である、１９０ヌクレオチド長のＰＣＲ断片、ならびに（Ｃ）ＳＤＦ−１γ−ｃＤＮＡのヌクレオチド６２５〜２３２７に相当し、ＳＤＦ−１γ特異的挿入物から、プライマーＧＡＳ２およびＭＭＳＥ２で得られたＰＣＲ産物のＰｖｕＩＩ消化により生じた、１７０２ヌクレオチド長の断片、とハイブリダイズさせた。
【図３】
図３は、ラット由来の核酸配列、ならびにこれらに由来するＳＤＦ−１βおよびＳＤＦ−１γ−ｃＤＮＡのアミノ酸配列を示す。ＳＤＦ−１γに特異的な挿入物は枠で囲んである。共通のシグナルペプチドの核酸配列には下線を付している。ヌクレオチド（左側）およびアミノ酸（右側）の番号はＳＤＦ−１γの配列に相当する。（９３）はＳＤＦ−１βの最後のアミノ酸を表している。
【図４】
図４は、マウスおよびラットのＳＤＦ−１タンパク質のアミノ酸配列の比較を示す。点は同一のアミノ酸を示す。１９アミノ酸長のシグナルペプチドは枠で囲んである。
【図５】
図５は、種々の組織（Ａ）および種々の発達段階（Ｂ）におけるＳＤＦ−１βおよびＳＤＦ−１γ転写産物の証拠を示す種々のノーザンブロット試験の結果を示す。（Ａ）坐骨神経（ＳＮ）、脳（Ｂｒ）、肺（Ｌｕ）、心臓（ＨＥ）、筋肉（Ｍｕ）、精巣（Ｔｅ）、肝臓（Ｌｉ）、腎臓（Ｋｉ）、脾臓（Ｓｐ）および胸腺（Ｔｈ）からの全ＲＮＡを含むノーザンブロットフィルターを、ＳＤＦ−１βおよびＳＤＦ−１γに共通の３’−ＵＴＲ領域由来の放射性標識ｃＤＮＡプローブとハイブリダイズさせた。（Ｂ）発達中のラット脳中のＳＤＦ−１βおよびＳＤＦ−１γｍＲＮＡの検出。１７日齢ラット胎児（Ｅ１７）ならびに誕生後１、４、７、１３および２０日（Ｐ１−２０）のラットおよび成体ラット（Ａｄ）の脳からの全ＲＮＡを含むノーザンブロットフィルターを、（Ａ）と同様にハイブリダイズさせた。（Ｃ）発達過程のラットの坐骨神経のＳＤＦ−１βおよびＳＤＦ−１γｍＲＮＡの検出。１、４、７、１４および２１日齢のラット（Ｐ１−２１）、ならびに成体ラット（Ａｄ）の前記神経からの全ＲＮＡを含むノーザンブロットフィルターを、（Ａ）と同様にＳＤＦ−１β／γプローブとハイブリダイズさせた。上側の矢印はリボゾーム２８ＳＲＮＡの位置を示し、下側のものはメチレンブルー染色したノーザンブロットフィルターによるものを示す。
【図６】
図６は、成体ラットの脳のＳＤＦ−１γ−ｍＲＮＡの細胞局在のためのｉｎ ｓｉｔｕハイブリダイゼーション試験の結果を示す。これらの切片を全ＳＤＦ−１イソ型の全５’ＵＴＲおよびコード配列のサブクローン（Ａ、Ｄ、Ｅ）、またはＳＤＦ−１γ特異的挿入物のサブクローン（Ｂ、Ｅ、Ｈ）に由来するジゴキシゲニン−ＵＴＰで標識した５９６ヌクレオチド長のアンチセンス転写産物とともにインキュベートした。センス転写産物とのハイブリダイゼーションを陰性対照として用いた（Ｃ、Ｆ、Ｉ）。（Ａ、Ｂ、Ｃ）脳梁の背側灰白層の左右対称スライドにおける標識乏突起神経膠細胞および強く標識されたニューロンの「パールネックレス」様形跡を有する脳梁。（Ｄ、Ｅ、Ｆ）小脳のプルキニエ細胞および顆粒細胞で強いハイブリダイゼーションシグナルが見られ、他のスライドでは弱いシグナルが見られる。（Ｇ、Ｈ、Ｉ）海馬の錐体細胞および顆粒細胞では極めて強いハイブリダイゼーションシグナルが検出される。ラインは１０μｍ。
【図７】
図７は、図６と同じプローブを用い、ラットの新皮質におけるＳＤＦ−１γ−ｍＲＮＡの細胞局在のためのｉｎ ｓｉｔｕハイブリダイゼーション試験の結果を示す。新皮質の前外側（ｆｒｏｎｔｏｌａｔｅｒａｌ）（Ａ）および中外側（ｍｅｄｉｏｌａｔｅｒａｌ）（Ｂ）領域由来の切片では、総ての新皮質スライド（Ｉ〜ＶＩ）のニューロンが、総てのＳＤＦ−１ｍＲＮＡイソ型に共通のアンチセンスプローブ（Ａ）でもＳＤＦ−１γ特異的プローブでも強く標識されている。
【図８】
図８は、成体ラットの坐骨神経中のＳＤＦ−１γ−ｍＲＮＡの細胞局在のためのｉｎ ｓｉｔｕハイブリダイゼーション試験の結果を示す。これらの切片を、（ａ）ＳＤＦ−１βおよびＳＤＦ−１γに共通の３’ＵＴＲ領域（Ａ〜Ｃ、Ｅ、Ｆ）、（ｂ）総てのＳＤＦ−１イソ型に共通の５’ＵＴＲおよびコード領域（Ｇ）、およびＳＤＦ−１γ特異的挿入物（Ｈ、Ｉ）に由来する、センスおよびアンチセンス方向のジゴキシゲニン−ＵＴＰ標識ＲＮＡプローブとハイブリダイズさせた。（Ａ、Ｂ、Ｃ）縦方向の切片は軸索近傍の紡錘型の顕著なシュワン細胞を示す。（Ｄ）Ｓ１００タンパク質（シュワン細胞のマーカー）に対する抗体で免疫染色した横方向の切片。（Ｅ）前記（Ｄ）の横方向切片の付近の縦方向切片のハイブリダイズシグナルは、同じ場所でＳ１００に対して免疫陽性の細胞と思われる軸索を取り囲む、標識された半円形のシュワン細胞を示している（Ｄ、Ｅ中の矢印）。（Ｇ、Ｈ）アンチセンス転写産物で標識された近傍の両横方向切片（多くの半円形のシュワン細胞（矢印）および上部の右隅の血管壁を示す）のいずれか一方とのハイブリダイゼーション。（Ｃ、Ｆ、Ｉ）センス方向の転写産物とのハイブリダイゼーションを陰性対照として用いた。Ａ、Ｃ、Ｇ〜Ｉ中の直線：１００μｍ、Ｄ〜Ｆ：１０μｍ。
【図９】
図９は、ラット由来のＳＤＦ−１γの核酸配列のコード領域およびそれから誘導されるアミノ酸配列を示す。
【図１０】
図１０は、ヒトＳＤＦ−１γの核酸配列のコード領域およびそれから誘導されるアミノ酸配列を示す。
【図１１】
図１１は、ヒトおよびラットＳＤＦ−１γの核酸配列のコード領域の比較を示す。「ｈｕｍ」：ヒト配列；「ｒａｔ」：ラット配列。
【図１２】
図１２は、図１１の核酸配列に由来するヒトおよびラットＳＤＦ−１γのアミノ酸配列の比較を示す。「ｈｕｍ」：ヒト配列；「ｒａｔ」：ラット配列。
【図１３】
図１３は、プラスミドＰＣＲＩＩ−ＴＯＰＯ（Ｉｎｖｉｔｒｏｇｅｎ， Ｇｒｏｎｉｎｇｅｎ， ＮＬ）におけるｈＳＤＦ−１γおよびｈＳＤＦ−１γ−Ｈ６構築物、ならびにプラスミドｐＦＰＭＴ１２１における構築物、Ｍ−ｍｈＳＤＦ−１γ−Ｈ６、ＳＤＦ−１γ−Ｈ６およびＭＦα−ｍｈＳＤＦ−１γ−Ｈ６を模式的に示す。
【図１４】
図１４は、ｈＳＤＦ−１γ遺伝子のコード領域を含む４３９ｂｐ長のＤＮＡ断片の制限地図を示す。
【図１５】
図１５は、ｈＳＤＦ−１γ遺伝子およびＨｉｓタグのコード領域を含む４５７ｂｐ長のＤＮＡ断片の制限地図を示す。
【図１６】
図１６は、発現プラスミドｐＦＰＭＴ−Ｍ−ｍｈＳＤＦ−１γ−Ｈ６の制限地図を示す。
【図１７】
図１７は、発現プラスミドｐＦＰＭＴ−ｈＳＤＦ−１γ−Ｈ６の制限地図を示す。
【図１８】
図１８は、発現プラスミドｐＦＰＭＴ−ＭＦα−ｍｈＳＤＦ−１γ−Ｈ６の作出法を模式的に示す。矢印で示した「Ｐ」はＰＣＲプライマーを表す。
【図１９】
図１９は、発現プラスミドｐＦＰＭＴ−ＭＦα−ｍｈＳＤＦ−１γ−Ｈ６の制限地図を示す。
【図２０】
図２０は、（Ａ）ＳＤＦ−１特異的抗体ＳＤＦ−１（Ｃ１９）（Ｓａｎｔａ Ｃｒｕｚ Ｂｉｏｔｅｃｈｎｏｌｏｇｙ， ＵＳＡ）および（Ｂ）Ｈｉｓタグ特異的抗体（ＲＧＳ−Ｈｉｓ抗体、マウスＩｇＧ１、Ｑｉａｇｅｎ， Ｈｉｌｄｅｎ， ＢＲＤ）を含む、Ｈ．ポリモルファの細胞抽出物における発現産物の証拠を示すウエスタンブロット試験の結果を示す。（Ａ）のトラックは、（１）シーブルー・プレステイン・スタンダード、（２）Ｍ−ｍｈＳＤＦ−１γ−Ｈ６、（３）ＰＮＧアーゼＦで処理したＭ−ｍｈＳＤＦ−１γ−Ｈ６、（４）ｈＳＤＦ−１γ−Ｈ６、（５）ＰＮＧアーゼＦで処理したｈＳＤＦ−１γ−Ｈ６、（６）ＭＦα−ｍｈＳＤＦ−１γ−Ｈ６、（７）ＰＮＧアーゼＦで処理したＭＦα−ｍｈＳＤＦ−１γ−Ｈ６および（８）ＳＤＦ−１γを含まない細胞抽出液を含む。（Ｂ）のトラックは、（１）ＳＤＦ−１γを含まない細胞抽出液、（２）シーブルー・プレステイン・スタンダード、（３）Ｍ−ｍｈＳＤＦ−１γ−Ｈ６、（４）ＰＮＧアーゼＦで処理したＭ−ｍｈＳＤＦ−１γ−Ｈ６、（５）ｈＳＤＦ−１γ−Ｈ６、（６）ＰＮＧアーゼＦで処理したｈＳＤＦ−１γ−Ｈ６、（７）ＭＦα−ｍｈＳＤＦ−１γ−Ｈ６および（８）ＰＮＧアーゼＦで処理したＭＦα−ｍｈＳＤＦ−１γ−Ｈ６を含む。
【図２１】
図２１は、星状細胞のカルシウム濃度に対するＳＤＦ−１αおよびＳＤＦ−１γの効果の比較を示す：（Ａ）５０ｎＭ  ＳＤＦ−１α；（Ｂ）組換えＳＤＦ−１γ（Ｍ−ｍｈＳＤＦ−１γ−Ｈ６）を含む３５μｇ酵母抽出液；（Ｃ）２２．４μｇ対照抽出液；（Ｄ）ＳＤＦ−１αによって誘導される細胞内カルシウム上昇に対するＳＤＦ−１γおよび対照抽出液による細胞内カルシウムの上昇の定量評価。
【図２２】
図２２は、ＣＸＣＲ４に対する抗体とのプレインキュベーションを伴わない（Ａ）または伴う（Ｂ）、ＳＤＦ−１αに対する星状細胞におけるカルシウム画像実験の結果を示す。
【図２３】
図２３は、ＣＸＣＲ４に対する抗体とのプレインキュベーションを伴わない（Ａ）または伴う（Ｂ）、ＳＤＦ−１γに対する星状細胞におけるカルシウム画像実験の結果を示す。
【図２４】
図２４は、ＣＸＣＲ４に対する抗体とのプレインキュベーションを伴わない（Ａ）または伴う（Ｂ）、ＳＤＦ−１γに対する皮質ニューロンにおけるカルシウム画像実験の結果を示す。
【図２５】
図２５は、ＣＸＣＲ４に対する抗体とのプレインキュベーションを伴わない（Ａ）または伴う（Ｂ）、ＳＤＦ−１γのＣ末端塩基性ペプチド（３０アミノ酸）に対する星状細胞におけるカルシウム画像実験の結果を示す。
【図２６】
図２６は、（Ａ）ペプチド２（ＫＫＥＫＩＧ；配列番号６）および（Ｂ）ペプチド３（ＫＫＫＲＱ；配列番号８）に対する星状細胞におけるカルシウム画像実験の結果を示す。
【図１】
2004521607.tif 000008
【図４】
2004521607.tif 000009
【図９】
2004521607.tif 000010
【図１０】
2004521607.tif 000011
【図１１】
2004521607.tif 000012
【図１２】
2004521607.tif 000013
【図１３】
2004521607.tif 000014
【図１８】
2004521607.tif 000015
【図２１】
2004521607.tif 000016
【図２２】
2004521607.tif 000017
【図２３】
2004521607.tif 000018
【図２４】
2004521607.tif 000019
【図２５】
2004521607.tif 000020
【図２６】
2004521607.tif 000021
【国際公開パンフレット】
2004521607.tif 000022
2004521607.tif 000023
2004521607.tif 000024
2004521607.tif 000025
2004521607.tif 000026
2004521607.tif 000027
2004521607.tif 000028
2004521607.tif 000029
2004521607.tif 000030
2004521607.tif 000031
2004521607.tif 000032
2004521607.tif 000033
2004521607.tif 000034
2004521607.tif 000035
2004521607.tif 000036
2004521607.tif 000037
2004521607.tif 000038
2004521607.tif 000039
2004521607.tif 000040
2004521607.tif 000041
2004521607.tif 000042
2004521607.tif 000043
2004521607.tif 000044
2004521607.tif 000045
2004521607.tif 000046
2004521607.tif 000047
2004521607.tif 000048
2004521607.tif 000049
2004521607.tif 000050
2004521607.tif 000051
2004521607.tif 000052
2004521607.tif 000053
2004521607.tif 000054
2004521607.tif 000055
2004521607.tif 000056
2004521607.tif 000057
2004521607.tif 000058
2004521607.tif 000059
2004521607.tif 000060
2004521607.tif 000061
2004521607.tif 000062
2004521607.tif 000063
2004521607.tif 000064
2004521607.tif 000065
2004521607.tif 000066
2004521607.tif 000067
2004521607.tif 000068
2004521607.tif 000069
2004521607.tif 000070
2004521607.tif 000071
2004521607.tif 000072
2004521607.tif 000073
2004521607.tif 000074
2004521607.tif 000075
2004521607.tif 000076
2004521607.tif 000077
2004521607.tif 000078
2004521607.tif 000079
2004521607.tif 000080
2004521607.tif 000081
2004521607.tif 000082
2004521607.tif 000083
2004521607.tif 000084
2004521607.tif 000085
2004521607.tif 000086
2004521607.tif 000087
2004521607.tif 000088
2004521607.tif 000089
2004521607.tif 000090
2004521607.tif 000091
2004521607.tif 000092
2004521607.tif 000093
2004521607.tif 000094
2004521607.tif 000095
2004521607.tif 000096
2004521607.tif 000097
2004521607.tif 000098
2004521607.tif 000099
2004521607.tif 000100
2004521607.tif 000101
2004521607.tif 000102
【国際調査報告】
2004521607.tif 000103
2004521607.tif 000104
2004521607.tif 000105
2004521607.tif 000106
2004521607.tif 000107
2004521607.tif 000108
2004521607.tif 000109